(57)【要約】本発明のいくつかの態様によれば、2人および／またはそれ以上の参加者の間での通話のためのマイクロホンとしてイヤホン出力スピーカを使用する方法、またはユーザの生物測定データを測定するための方法が提供される。方法は、受け取られた信号をイヤホンの電気音響出力変換器に再生する工程を含み得る。方法は、ローカルのクライアント端末のオーディオ処理回路に対し、同じ電気音響出力変換器からオーディオ信号を記録するよう命令する工程を含み得る。方法は、ローカルのクライアント端末の処理ユニットを使用して、記録されたオーディオ信号、受け取られた信号、およびフィルトレーション係数を組み合わせる関数に基づいて、音声信号および／または生物測定値を計算する工程を含み得る。方法は、ローカルのクライアント端末の出力インタフェースを通して、音声信号および／または生物測定値を送る工程を含み得る。2017528011.tif 000004
2017528011.tif 000002
【特許請求の範囲】
【請求項１】
リモートのクライアント端末から記録されたリモートの参加者の音声である受け取られた音声信号を、少なくとも1つのイヤホンの少なくとも1つの電気音響出力変換器に再生する工程;
ローカルのクライアント端末のオーディオ処理集積回路に対し、前記ローカルのクライアント端末を使用しているローカルの参加者の音声である音声信号を同じ前記少なくとも1つの電気音響出力変換器から記録するよう命令する工程;
前記ローカルのクライアント端末の処理ユニットを使用して、前記記録された音声信号、前記受け取られた音声信号、およびフィルトレーション係数を組み合わせる関数に基づいて、伝送音声信号を計算する工程;ならびに
前記ローカルのクライアント端末の出力インタフェースを通して前記伝送音声信号を送り、それによって、通話コミュニケーションのために遠隔地での前記リモートのクライアント端末上での前記伝送音声信号の音響音声の再生を可能にする工程
を含む、複数の参加者の間での通話のためのマイクロホンとしてイヤホン出力スピーカを使用する方法。
【請求項２】
少なくとも1つの電気音響出力変換器が、イヤホンに接続された外部スピーカである、請求項1記載の方法。
【請求項３】
少なくとも1つの電気音響出力変換器が、クライアント端末の内部スピーカである、請求項1記載の方法。
【請求項４】
音声信号の記録および受け取られた音声信号の再生が、同じ電気音響変換器から同時に実施される、請求項1記載の方法。
【請求項５】
音声信号の記録および受け取られた音声信号の再生が、同じ電気音響変換器から交互に実施され、ここで、第一の期間の間、再生が実施され、第二の期間の間、記録が、聞き取れないほど短い時間で実施される、請求項1記載の方法。
【請求項６】
請求項1記載の方法を実施するよう適合されたコンピュータ実行可能な命令を含むコンピュータ可読媒体。
【請求項７】
リモートのクライアント端末から記録されたリモートの参加者の音声である受け取られた音声信号を、少なくとも1つのイヤホンの少なくとも1つの電気音響出力変換器に再生する工程;
ローカルのクライアント端末に内蔵の内部マイクロホンに対し、前記ローカルのクライアント端末を使用しているローカルの参加者の音声である音声信号を記録するよう命令する工程;
前記ローカルのクライアント端末のオーディオ処理集積回路に対し、同じ前記少なくとも1つの電気音響出力変換器を使用して聴覚（aural）オーディオ信号を記録するよう命令する工程;
前記ローカルのクライアント端末の処理ユニットを使用して、前記音声信号、前記聴覚オーディオ信号、前記受け取られた音声信号およびフィルトレーション係数を組み合わせる関数に基づいて、ノイズ低減された音声信号を計算する工程;ならびに
出力インタフェースを通して前記ノイズ低減された音声信号を送り、それによって、通話コミュニケーションのために遠隔地での前記リモートのクライアント端末上での前記ノイズ低減された音声信号の音響再生を可能にする工程
を含む、ノイズ低減された音声信号を複数の参加者の間での通話のリモートの参加者へ送る方法。
【請求項８】
聴覚オーディオ信号の記録および受け取られた音声信号の再生が、同じ電気音響出力変換器から同時に実施される、請求項7記載の方法。
【請求項９】
聴覚オーディオ信号の記録および受け取られた音声信号の再生が、同じ電気音響出力変換器から交互に実施され、ここで、第一の期間の間、再生が実施され、第二の期間の間、記録が、聞き取れないほど短い時間で実施される、請求項7記載の方法。
【請求項１０】
電気音響変換器が、聴覚オーディオ信号の記録の間、外耳道の内側に位置する、請求項7記載の方法。
【請求項１１】
請求項7記載の方法を実施するよう適合されたコンピュータ実行可能な命令を含むコンピュータ可読媒体。
【請求項１２】
出力オーディオ信号を少なくとも1つのイヤホンの少なくとも1つの電気音響出力変換器に再生する工程;
クライアント端末のオーディオ処理集積回路に対し、同じ前記少なくとも1つの電気音響出力変換器を使用して聴覚オーディオ信号を記録するよう命令する工程;
前記聴覚オーディオ信号、前記出力オーディオ信号、およびフィルトレーション係数を組み合わせる関数に基づいて、脈拍数測定値を計算する工程;ならびに
前記脈拍数測定値を提示する工程
を含む、脈拍数測定値を提示する方法。
【請求項１３】
聴覚オーディオ信号の記録および出力オーディオ信号の再生が、同じ前記少なくとも1つの電気音響出力変換器から同時に実施される、請求項12記載の方法。
【請求項１４】
聴覚オーディオ信号の記録および出力オーディオ信号の再生が、同じ前記少なくとも1つの電気音響出力変換器から交互に実施され、ここで、第一の期間の間、再生が実施され、第二の期間の間、記録が、聞き取れないほど短く実施される、請求項12記載の方法。
【請求項１５】
少なくとも1つの電気音響出力変換器が、聴覚オーディオ信号の記録の間、外耳道の内側に位置する、請求項12記載の方法。
【請求項１６】
脈拍数測定値が、前記聴覚オーディオ信号と少なくとも1つの第二の電気音響出力変換器から記録された第二の聴覚オーディオ信号との間の時間のずれの測定に基づいて計算される、請求項12記載の方法。
【請求項１７】
脈拍数測定値が、外耳道の周波数応答における変化に基づいて計算される、請求項12記載の方法。
【請求項１８】
脈拍数測定値が、ユーザインタフェースを通してユーザに提示される、請求項12記載の方法。
【請求項１９】
脈拍数測定値が、出力インタフェースを通してリモートのデバイスに提示される、請求項12記載の方法。
【請求項２０】
請求項12記載の方法を実施するよう適合されたコンピュータ実行可能な命令を含むコンピュータ可読媒体。
【請求項２１】
出力オーディオ信号を少なくとも1つの電気音響変換器に再生する工程;
クライアント端末のオーディオ処理集積回路に対し、同じ前記少なくとも1つの電気音響変換器を使用してオーディオ信号を記録するよう命令する工程;
前記オーディオ信号、出力オーディオ信号およびフィルトレーション係数を組み合わせる関数に基づいて、複数の温度測定値を計算する工程;ならびに
前記複数の温度測定値の少なくとも1つを提示する工程
を含む、温度測定値を提示する方法。
【請求項２２】
少なくとも1つの電気音響変換器が、マイクロホンである、請求項21記載の方法。
【請求項２３】
少なくとも1つの電気音響変換器が、イヤホンの出力スピーカである、請求項21記載の方法。
【請求項２４】
少なくとも1つの電気音響変換器が、イヤホンに接続された外部スピーカであり、複数の温度測定値が、周囲および内耳温度測定値を含む、請求項21記載の方法。
【請求項２５】
少なくとも1つの電気音響変換器が、クライアント端末の内部スピーカであり、複数の温度測定値が、周囲およびデバイス温度測定値を含む、請求項21記載の方法。
【請求項２６】
電気音響変換器が、オーディオ信号の記録の間、標的ユーザの外耳道の内側に位置し、複数の温度測定値の1つが、前記標的ユーザの体温と相互関係がある内耳測定値である、請求項21記載の方法。
【請求項２７】
複数の温度測定値の少なくとも1つが、ユーザインタフェースを通してユーザに提示される、請求項21記載の方法。
【請求項２８】
複数の温度測定値の少なくとも1つが、出力インタフェースを通してリモートのデバイスに提示される、請求項21記載の方法。
【請求項２９】
請求項21記載の方法を実施するよう適合されたコンピュータ実行可能な命令を含むコンピュータ可読媒体。
【請求項３０】
コンピュータ可読記憶媒体;
受け取られた音声信号を少なくとも1つのイヤホンの少なくとも1つの電気音響出力変換器に再生するための第一のプログラム命令;
ローカルのクライアント端末のオーディオ処理集積回路に対し、同じ前記少なくとも1つの電気音響出力変換器を使用して音声信号を記録するよう命令する第二のプログラム命令;
前記記録された音声信号を組み合わせる関数に基づいて伝送音声信号を計算するための第三のプログラム命令;および
前記ローカルのクライアント端末の出力インタフェースを通して前記伝送音声信号を送るための第四のプログラム命令;
を含み、
前記第一、第二、第三、および第四のプログラム命令が、前記コンピュータ可読記憶媒体上に記憶されている、
伝送音声信号を送るためのコンピュータプログラム製品。
【請求項３１】
コンピュータ可読記憶媒体;
受け取られた音声信号を少なくとも1つのイヤホンの少なくとも1つの電気音響出力変換器に再生するための第一のプログラム命令;
クライアント端末に内蔵の内部マイクロホンに対し、音声信号を記録するよう命令する第二のプログラム命令;
前記クライアント端末のオーディオ処理集積回路に対し、同じ前記少なくとも1つの電気音響出力変換器を使用して聴覚オーディオ信号を記録するよう命令するための第三のプログラム命令;
前記音声信号、前記聴覚オーディオ信号およびフィルトレーション係数を組み合わせる関数に基づいて、ノイズ低減された音声信号を計算するための第四のプログラム命令;ならびに
前記クライアント端末の出力インタフェースを通して前記ノイズ低減された音声信号を送るための第五のプログラム命令
を含み、
前記第一、第二、第三、第四、および第五のプログラム命令が、前記コンピュータ可読記憶媒体上に記憶されている、
ノイズ低減された音声信号を送るためのコンピュータプログラム製品。
【請求項３２】
コンピュータ可読記憶媒体;
出力オーディオ信号を少なくとも1つのイヤホンの少なくとも1つの電気音響出力変換器に再生するための第一のプログラム命令;
クライアント端末のオーディオ処理集積回路に対し、同じ前記少なくとも1つの電気音響出力変換器を使用して聴覚オーディオ信号を記録するよう命令する第二のプログラム命令；
前記記録された聴覚オーディオ信号を組み合わせる関数に基づいて、脈拍数測定値を計算するための第三のプログラム命令;および
前記脈拍数測定値を提示するための第四のプログラム命令
を含み、
前記第一、第二、第三、および第四のプログラム命令が、前記コンピュータ可読記憶媒体上に記憶されている、
脈拍数測定値を提示するためのコンピュータプログラム製品。
【請求項３３】
コンピュータ可読記憶媒体;
出力オーディオ信号を少なくとも1つのイヤホンの少なくとも1つの電気音響変換器に再生するための第一のプログラム命令;
クライアント端末のオーディオ処理集積回路に対し、同じ前記少なくとも1つの電気音響変換器を使用して聴覚オーディオ信号を記録するよう命令する第二のプログラム命令;
前記記録された聴覚オーディオ信号を組み合わせる関数に基づいて、温度測定値を計算するための第三のプログラム命令;および
前記温度測定値を提示するための第四のプログラム命令
を含み、
前記第一、第二、第三、および第四のプログラム命令が、前記コンピュータ可読記憶媒体上に記憶されている、
温度測定値を提示するためのコンピュータプログラム製品。
【請求項３４】
電話での会話においてローカルの参加者のローカルの音声信号を送り、リモートの参加者のリモートの音声信号を受け取るためのインタフェースと、
イヤホンをデバイスに接続するためのオーディオソケットと、
受け取られた音声信号を少なくとも1つのイヤホンの少なくとも1つの電気音響変換器に再生する行為;
オーディオ回路に対し、前記イヤホンの同じ前記少なくとも1つの電気音響変換器から聴覚信号を記録するよう命令する行為;
前記聴覚信号から前記ローカルの音声信号を算定する行為;
前記電話での会話において前記ローカルの音声信号を前記リモートの参加者の再生デバイスに送る行為
を実施するためのプロセッサ命令の集合を含む少なくとも1つの記憶ユニットと、
前記少なくとも1つの記憶ユニットから前記プロセッサ命令の集合を検索し、該プロセッサ命令の集合を実行するように構成された少なくとも1つの処理ユニットと
を含む、電話での会話においてリモートの参加者に音声信号を送るためのデバイス。
【請求項３５】
第二の音声信号を記録するマイクロホンをさらに含み、音声信号が、聴覚信号および前記第二の音声信号を使用して算定されたノイズ低減された音声信号である、請求項34記載のデバイス。
【請求項３６】
イヤホンをデバイスに接続するためのオーディオソケットと、
出力オーディオ信号を少なくとも1つのイヤホンの少なくとも1つの電気音響変換器に再生する行為;
オーディオ回路に対し、前記イヤホンの同じ前記少なくとも1つの電気音響変換器から聴覚信号を記録するよう命令する行為;
前記聴覚信号から少なくとも1つの生物測定値を算定する行為;
前記少なくとも1つの生物測定値を提示する行為
を実施するためのプロセッサ命令の集合を含む少なくとも1つの記憶ユニットと、
前記少なくとも1つの記憶ユニットから前記プロセッサ命令の集合を検索し、該プロセッサ命令の集合を実行するように構成された少なくとも1つの処理ユニットと
を含む、生物測定値を提示するためのデバイス。
【請求項３７】
データインタフェースをさらに含む請求項36記載のデバイスであって、少なくとも1つの生物測定値が、前記データインタフェースを使用してリモートのデバイス上に提示される、デバイス。
【発明の詳細な説明】
【技術分野】
【０００１】
本発明は、そのいくつかの態様において、イヤホン出力スピーカを使用した測定に関し、より具体的には、ただし非排他的に、イヤホンの電気音響出力変換器からの温度、生物および／または音響測定に関する。
【背景技術】
【０００２】
生理学的測定および環境測定は、専用デバイスによって、または特殊センサをクライアント端末の付属デバイスに加えることによって実施され得る。例えば、ガラスアナログ体温計および／または電子デジタル体温計が、体温測定のために使用される。デバイスは、皮膚接触から、または赤外線熱放射センサを使用して外耳道を通して、体温を測定するように設計され得る。例えば、特殊温度センサが、音楽を聴きながら、または音声電話に参加しながらスマートフォン上で温度を測定するためのイヤホンに加えられている。
【０００３】
個人利用の脈拍数モニタは、必要とされる場合、または運動の間、継続的に、脈拍数を測定するために脈拍センサおよび専用電子機器を使用する。専用脈拍数センサは、胸部バンド、手首バンド、およびイヤホンに組み込まれ得る。
【０００４】
携帯電話および／またはコードレス電話での音声会話の間、マイクロホンが、通話中に参加者の音声信号を測定するために使用され、その信号は、相手の参加者にリアルタイムで送られる。追加のマイクロホンが、音声信号からバックグランドノイズおよび／またはガウスノイズを低減するために使用され得る。
【０００５】
モバイルデバイス用のイヤホンは、音楽および／またはリモートの参加者からの音声信号を再生するために、イヤホン出力スピーカとも称される専用電気音響出力変換器を含む。
【発明の概要】
【０００６】
概要
本発明のいくつかの態様によれば、2人以上の参加者の間での通話のためのマイクロホンとしてイヤホン出力スピーカを使用する方法が提供される。方法は、リモートのクライアント端末から記録されたリモートの参加者の音声である受け取られた音声信号を、1つまたは複数のイヤホンの1つまたは複数の電気音響出力変換器に再生する工程を含み得る。方法は、ローカルのクライアント端末のオーディオ処理集積回路に対し、ローカルのクライアント端末を使用しているローカルの参加者の音声である音声信号を1つまたは複数の電気音響出力変換器から記録するよう命令する工程を含み得る。方法は、ローカルのクライアント端末の処理ユニットを使用して、記録された音声信号、受け取られた音声信号、およびフィルトレーション係数を組み合わせる関数に基づいて、伝送音声信号を計算する工程を含み得る。方法は、ローカルのクライアント端末の出力インタフェースを通して伝送音声信号を送り、それによって、通話コミュニケーションのために遠隔地でのリモートのクライアント端末上での伝送音声信号の音響音声の再生を可能にする工程を含み得る。
【０００７】
任意で、1つまたは複数の電気音響出力変換器は、イヤホンに接続された外部スピーカである。
【０００８】
任意で、1つまたは複数の電気音響出力変換器は、クライアント端末の内部スピーカである。
【０００９】
任意で、音声信号の記録および受け取られた音声信号の再生は、同じ電気音響変換器から同時に実施される。
【００１０】
任意で、音声信号の記録および受け取られた音声信号の再生は、同じ電気音響変換器から交互に実施され、ここで、第一の期間の間、再生が実施され、第二の期間の間、記録が、聞き取れないほど短い時間で実施される。
【００１１】
本発明のいくつかの態様の局面によれば、本明細書に記載されている方法を実施するよう適合されたコンピュータ実行可能な命令を含むコンピュータ可読媒体が提供される。
【００１２】
本発明のいくつかの態様の局面によれば、ノイズ低減された音声信号を2人以上の参加者の間での通話のリモートの参加者へ送る方法が提供される。方法は、リモートのクライアント端末から記録されたリモートの参加者の音声である受け取られた音声信号を、1つまたは複数のイヤホンの1つまたは複数の電気音響出力変換器に再生する工程を含み得る。方法は、ローカルのクライアント端末に内蔵の内部マイクロホンに対し、ローカルのクライアント端末を使用しているローカルの参加者の音声である音声信号を記録するよう命令する工程を含み得る。方法は、ローカルのクライアント端末のオーディオ処理集積回路に対し、1つまたは複数の電気音響出力変換器を使用して聴覚（aural）オーディオ信号を記録するよう命令する工程を含み得る。方法は、ローカルのクライアント端末の処理ユニットを使用して、音声信号、聴覚オーディオ信号、受け取られた音声信号およびフィルトレーション係数を組み合わせる関数に基づいて、ノイズ低減された音声信号を計算する工程を含み得る。方法は、出力インタフェースを通してノイズ低減された音声信号を送り、それによって、通話コミュニケーションのために遠隔地でのリモートのクライアント端末上でのノイズ低減された音声信号の音響再生を可能にする工程を含み得る。
【００１３】
任意で、聴覚オーディオ信号の記録および受け取られた音声信号の再生は、同じ電気音響出力変換器から同時に実施される。
【００１４】
本発明のいくつかの態様の局面によれば、脈拍数測定値を提示する方法が提供される。方法は、出力オーディオ信号を1つまたは複数のイヤホンの1つまたは複数の電気音響出力変換器に再生する工程を含み得る。方法は、クライアント端末のオーディオ処理集積回路に対し、1つまたは複数の電気音響出力変換器を使用して聴覚オーディオ信号を記録するよう命令する工程を含み得る。方法は、聴覚オーディオ信号、出力オーディオ信号、およびフィルトレーション係数を組み合わせる関数に基づいて、脈拍数測定値を計算する工程を含み得る。方法は、脈拍数測定値を提示する工程を含み得る。
【００１５】
任意で、聴覚オーディオ信号の記録および出力オーディオ信号の再生は、同じ1つまたは複数の電気音響出力変換器から同時に実施される。
【００１６】
任意で、聴覚オーディオ信号の記録および出力オーディオ信号の再生は、同じ1つまたは複数の電気音響出力変換器から交互に実施され、ここで、第一の期間の間、再生が実施され、第二の期間の間、記録が、聞き取れないほど短く実施される。
【００１７】
任意で、電気音響変換器は、聴覚オーディオ信号の記録の間、外耳道の内側に位置する。
【００１８】
任意で、脈拍数測定値は、聴覚オーディオ信号と1つまたは複数の第二の電気音響出力変換器から記録された第二の聴覚オーディオ信号との間での時間のずれの測定に基づいて計算される。
【００１９】
任意で、脈拍数測定値は、外耳道の周波数応答における変化に基づいて計算される。
【００２０】
任意で、脈拍数測定値は、ユーザインタフェースを通してユーザに提示される。
【００２１】
任意で、脈拍数測定値は、出力インタフェースを通してリモートのデバイスに提示される。
【００２２】
本発明のいくつかの態様の局面によれば、温度測定値を提示する方法が提供される。方法は、出力オーディオ信号を1つまたは複数の電気音響変換器に再生する工程を含み得る。方法は、クライアント端末のオーディオ処理集積回路に対し、1つまたは複数の電気音響変換器を使用してオーディオ信号を記録するよう命令する工程を含み得る。方法は、オーディオ信号、出力オーディオ信号およびフィルトレーション係数を組み合わせる関数に基づいて、2つ以上の温度測定値を計算する工程を含み得る。方法は、2つ以上の温度測定値のうちの1つまたは複数を提示する工程を含み得る。
【００２３】
任意で、1つまたは複数の電気音響変換器は、マイクロホンである。
【００２４】
任意で、1つまたは複数の電気音響変換器は、イヤホンの出力スピーカである。
【００２５】
任意で、1つまたは複数の電気音響変換器は、イヤホンに接続された外部スピーカであり、2つ以上の温度測定値は、周囲温度および内耳温度測定値を含む。
【００２６】
任意で、1つまたは複数の電気音響変換器は、クライアント端末の内部スピーカであり、2つ以上の温度測定値は、周囲温度およびデバイス温度測定値を含む。
【００２７】
任意で、電気音響変換器は、オーディオ信号の記録の間、標的ユーザの外耳道の内側に位置し、2つ以上の温度測定値のうちの1つは、標的ユーザの体温と相互関係がある内耳測定値である。
【００２８】
任意で、2つ以上の温度測定値のうちの1つまたは複数は、ユーザインタフェースを通してユーザに提示される。
【００２９】
任意で、2つ以上の温度測定値のうちの1つまたは複数は、出力インタフェースを通してリモートのデバイスに提示される。
【００３０】
本発明のいくつかの態様の局面によれば、伝送音声信号を送るためのコンピュータプログラム製品が提供される。コンピュータプログラム製品は、コンピュータ可読記憶媒体を含み得る。コンピュータプログラム製品は、受け取られた音声信号を1つまたは複数のイヤホンの1つまたは複数の電気音響出力変換器に再生するための第一のプログラム命令を含み得る。コンピュータプログラム製品は、ローカルのクライアント端末のオーディオ処理集積回路に対し、1つまたは複数の電気音響出力変換器を使用して音声信号を記録するよう命令する第二のプログラム命令を含み得る。コンピュータプログラム製品は、記録された音声信号を組み合わせる関数に基づいて伝送音声信号を計算するための第三のプログラム命令を含み得る。コンピュータプログラム製品は、ローカルのクライアント端末の出力インタフェースを通して伝送音声信号を送るための第四のプログラム命令を含み得、第一、第二、第三、および第四のプログラム命令は、コンピュータ可読記憶媒体上に記憶され得る。
【００３１】
本発明のいくつかの態様の局面によれば、ノイズ低減された音声信号を送るためのコンピュータプログラム製品が提供される。コンピュータプログラム製品は、コンピュータ可読記憶媒体を含み得る。コンピュータプログラム製品は、受け取られた音声信号を1つまたは複数のイヤホンの1つまたは複数の電気音響出力変換器に再生するための第一のプログラム命令を含み得る。コンピュータプログラム製品は、クライアント端末に内蔵の内部マイクロホンに対し、音声信号を記録するよう命令する第二のプログラム命令を含み得る。コンピュータプログラム製品は、クライアント端末のオーディオ処理集積回路に対し、1つまたは複数の電気音響出力変換器を使用して聴覚オーディオ信号を記録するよう命令するための第三のプログラム命令を含み得る。コンピュータプログラム製品は、音声信号、聴覚オーディオ信号およびフィルトレーション係数を組み合わせる関数に基づいて、ノイズ低減された音声信号を計算するための第四のプログラム命令を含み得る。コンピュータプログラム製品は、クライアント端末の出力インタフェースを通してノイズ低減された音声信号を送るための第五のプログラム命令を含み得、第一、第二、第三、第四、および第五のプログラム命令は、コンピュータ可読記憶媒体上に記憶されている。
【００３２】
本発明のいくつかの態様の局面によれば、脈拍数測定値を提示するためのコンピュータプログラム製品が提供される。コンピュータプログラム製品は、コンピュータ可読記憶媒体を含み得る。コンピュータプログラム製品は、出力オーディオ信号を1つまたは複数のイヤホンの1つまたは複数の電気音響出力変換器に再生するための第一のプログラム命令を含み得る。コンピュータプログラム製品は、クライアント端末のオーディオ処理集積回路に対し、1つまたは複数の電気音響出力変換器を使用して聴覚オーディオ信号を記録するよう命令する第二のプログラム命令を含み得る。コンピュータプログラム製品は、記録された聴覚オーディオ信号を組み合わせる関数に基づいて脈拍数測定値を計算するための第三のプログラム命令を含み得る。コンピュータプログラム製品は、脈拍数測定値を提示するための第四のプログラム命令を含み得、第一、第二、第三、および第四のプログラム命令は、コンピュータ可読記憶媒体上に記憶されている。
【００３３】
本発明のいくつかの態様の局面によれば、温度測定値を提示するためのコンピュータプログラム製品が提供される。コンピュータプログラム製品は、コンピュータ可読記憶媒体を含み得る。コンピュータプログラム製品は、出力オーディオ信号を1つまたは複数のイヤホンの1つまたは複数の電気音響出力変換器に再生するための第一のプログラム命令を含み得る。コンピュータプログラム製品は、クライアント端末のオーディオ処理集積回路に対し、1つまたは複数の電気音響出力変換器を使用して聴覚オーディオ信号を記録するよう命令する第二のプログラム命令を含み得る。コンピュータプログラム製品は、記録された聴覚オーディオ信号を組み合わせる関数に基づいて温度測定値を計算するための第三のプログラム命令を含み得る。コンピュータプログラム製品は、温度測定値を提示するための第四のプログラム命令を含み得、第一、第二、第三、および第四のプログラム命令は、コンピュータ可読記憶媒体上に記憶されている。
【００３４】
本発明のいくつかの態様の局面によれば、電話での会話において音声信号をリモートの参加者に送るためのデバイスが提供される。デバイスは、電話での会話においてローカルの参加者のローカルの音声信号を送り、リモートの参加者のリモートの音声信号を受け取るためのインタフェースを含み得る。デバイスは、イヤホンをデバイスに接続するためのオーディオソケットを含み得る。デバイスは、受け取られた音声信号を1つまたは複数のイヤホンの1つまたは複数の出力スピーカに再生する行為を実施するためのプロセッサ命令の集合を有する1つまたは複数の記憶ユニットを含み得る。記憶ユニットは、オーディオ回路に対し、イヤホンの1つまたは複数の出力スピーカから聴覚信号を記録するよう命令する行為を実施するためのプロセッサ命令の集合を含み得る。記憶ユニットは、聴覚信号からローカルの音声信号を算定する行為を実施するためのプロセッサ命令の集合を含み得る。記憶ユニットは、電話での会話においてローカルの音声信号をリモートの参加者の再生デバイスに送る行為を実施するためのプロセッサ命令の集合を含み得る。デバイスは、1つまたは複数の記憶ユニットからプロセッサ命令の集合を検索し、プロセッサ命令の集合を実行するように構成された、1つまたは複数の処理ユニットを含み得る。
【００３５】
任意で、デバイスは、第二の音声信号を記録するマイクロホンを含み、音声信号は、聴覚信号および第二の音声信号を使用して算定された、ノイズ低減された音声信号である。
【００３６】
本発明のいくつかの態様の局面によれば、生物測定値を提示するためのデバイスが提供される。デバイスは、イヤホンをデバイスに接続するためのオーディオソケットを含み得る。デバイスは、出力オーディオ信号を1つまたは複数のイヤホンの1つまたは複数の出力スピーカに再生するためのプロセッサ命令の集合を含む、1つまたは複数の記憶ユニットを含み得る。記憶ユニットは、オーディオ回路に対し、イヤホンの1つまたは複数の出力スピーカから聴覚信号を記録するよう命令するための、プロセッサ命令の集合を含み得る。記憶ユニットは、聴覚信号から1つまたは複数の生物測定値を算定するためのプロセッサ命令の集合を含み得る。記憶ユニットは、1つまたは複数の生物測定値を提示するためのプロセッサ命令の集合を含み得る。デバイスは、1つまたは複数の記憶ユニットからプロセッサ命令の集合を検索し、プロセッサ命令の集合を実行するように構成された1つまたは複数の処理ユニットを含み得る。
【００３７】
任意で、デバイスは、データインタフェースを含み、1つまたは複数の生物測定値は、データインタフェースを使用してリモートのデバイス上に提示される。
【００３８】
別段定義されない限り、本明細書において使用される全ての技術および／または科学用語は、本発明が属する技術分野の当業者によって一般に理解される意味と同じ意味を有する。本明細書に記載されているものに類似または等価である方法および材料が、本発明の態様の実施または試験において使用されることができるが、例示的な方法および／または材料が以下に記載される。矛盾する場合、本明細書が、定義を含め、優先する。加えて、材料、方法および例は例示にすぎず、必ずしも限定的であることを意図しない。
【００３９】
本発明の態様の方法および／またはシステムの実行は、選択されたタスクを手動、自動、またはその組み合わせで実施するか、または完了することを含み得る。さらに、本発明の方法および／またはシステムの態様の実際の器具使用および設備によれば、いくつかの選択されたタスクは、オペレーティングシステムを使用して、ハードウェアによって、ソフトウェアによって、もしくはファームウェアによって、またはそれらの組み合わせによって、実行されることもできる。
【００４０】
例えば、本発明の態様による選択されたタスクを実施するためのハードウェアは、チップまたは回路として実現されることもできる。ソフトウェアとして、本発明の態様による選択されたタスクは、任意の適切なオペレーティングシステムを使用してコンピュータによって実行される複数のソフトウェア命令として実現されることもできる。本発明の例示的な態様において、本明細書に記載されているとおりの方法および／またはシステムの例示的な態様による1つまたは複数のタスクは、複数の命令を実行するためのコンピューティングプラットフォームのようなデータプロセッサによって実施される。任意で、データプロセッサは、命令および／またはデータを記憶するための揮発性メモリ、ならびに／あるいは命令および／またはデータを記憶するための不揮発性記憶装置、例えば、磁気ハードディスクおよび／またはリムーバブルメディアを含む。任意で、ネットワーク接続もまた提供される。ディスプレイおよび／またはキーボードもしくはマウスのようなユーザ入力デバイスもまた任意で提供される。
【図面の簡単な説明】
【００４１】
図面のいくつかの図の簡単な説明
添付図面を参照しながら、本発明のいくつかの態様が本明細書において単なる例として記載される。ここで図面を具体的に詳細に参照すると、示される詳細は、例として、本発明の態様を例示的に説明するためのものであることが強調される。これに関し、詳細な説明は、図面とともに読まれると、本発明の態様を実施し得る方法を当業者に明らかにする。
【００４２】
【図１Ａ】本発明のいくつかの態様による、イヤホン出力スピーカからの、任意でノイズ低減された音声信号を計算するためのシステムおよびデバイスの模式図である。
【図１Ｂ】本発明のいくつかの態様による、イヤホン出力スピーカから記録された聴覚信号から脈拍および／または温度測定値を計算するためのシステムおよびデバイスの模式図である。
【図２】本発明のいくつかの態様による、イヤホン出力スピーカから電話での会話のオーディオ信号を生成するための方法の流れ図である。
【図３】本発明のいくつかの態様による、イヤホン出力スピーカから脈拍数を測定するための方法の流れ図である。
【図４】本発明のいくつかの態様による、イヤホン出力スピーカから温度を測定するための方法の流れ図である。
【図５】本発明のいくつかの態様による、イヤホン出力スピーカから信号を記録し、信号および／または測定データを算定して、データを出力するためのユーザインタフェースの模式図である。
【発明を実施するための形態】
【００４３】
詳細な説明
本発明は、そのいくつかの態様において、イヤホン出力スピーカを使用する測定に関し、より具体的には、ただし非排他的に、イヤホンの電気音響出力変換器からの温度、生物および／または音響測定に関する。
【００４４】
生物測定および聴覚音測定のための現行の方法は、専用ハードウェアおよび電子機器を必要とし、製品原価、開発時間および開発費を増大させる。加えて、これらの方法のいくつかは、測定デバイスがバックグランドノイズおよび対象の動きに対して敏感なので、測定の間、ユーザに静止していることを要求する場合がある。
【００４５】
これらの制限を克服するために、イヤホンの1つまたは複数の出力スピーカは、ユーザが同じ出力スピーカを使用して音楽、サウンドトラック、電話での会話の音声などを聞いている間、測定を行うために使用され得る。任意で再配線アダプタを有するクライアント端末のオーディオ処理回路は、イヤホン出力スピーカのようなイヤホン電気音響出力変換器から聴覚音信号を記録するように構成され得る。例えば、イヤホンおよびクライアント端末は、クライアント端末に組み込まれる特殊なハードウェアを有しない、既成製品である。聴覚音信号は、温度、脈拍数、ノイズ信号、および音声信号の測定値を生成するために、クライアント端末のプロセッサによって処理され得る。本明細書において使用されるとき、クライアント端末という用語は、スマートフォン、携帯電話、携帯音楽プレーヤ、タブレット、ラップトップコンピューター、ウェアラブル型デバイス、パーソナルコンピュータなどを意味する。本明細書において使用されるとき、イヤホンという用語は、少なくとも1つの出力スピーカ、例えば電気音響変換器を含む、イヤホン、ヘッドホン、イヤーバッドなどを指す。イヤホンは、日々の音声会話および音楽再生のために使用される通常のイヤホンであることができ、特殊センサまたはハードウェアを必要としない。
【００４６】
例えば、聴覚音信号は、リモートの参加者との電話での会話において使用するための音声信号を算定するために使用されることができる。別の例において、クライアント端末および／またはイヤホンは、内蔵マイクロホンを有し、聴覚音信号は、電話での会話のためにノイズ低減された音声信号を算定するために使用されることができる。別の例において、聴覚音信号の音響特性は、イヤホン電気音響出力変換器の内側および外側の温度に敏感である。この例において、聴覚音信号を専用の方法を用いて処理することは、内耳および周囲についての温度測定値を算定することを可能にする。別の例において、1つまたは複数の聴覚音信号の周期的な特徴を分析することは、脈拍数を算定することを可能にする。
【００４７】
例えば、既存の温度計デバイスを使用することは、対象に相対的に静止していることを要求し、普通の日常活動の間、長時間にわたって温度を監視することができない場合がある。本明細書に記載されている方法のいくつかの態様を使用すると、イヤホン出力スピーカは、好都合かつ連続的に体温を測定するために使用され、妊娠用途のための体温モニタリング、健康モニタリング、情動モニタリング、および／または他の用途の適用を可能にし得る。クライアント端末内部の出力スピーカから記録された聴覚音信号を使用することは、クライアント端末の温度を測定することを可能にし、温度測定に基づいて電力使用量を決定する。クライアント端末のトランシーバ、プロセッサおよびディスプレイの使用量が、電力使用量の原因とはならない場合、クライアント端末は、機能不良であり得る。記録される聴覚音信号は、音楽を再生するためおよび／または電話での会話の間、音声信号を聞くために使用される同じスピーカから記録される。
【００４８】
本発明のいくつかの態様によれば、聴覚音響信号を記録し、これらの信号をイヤホン出力スピーカの環境の測定値に変換するためにイヤホン出力スピーカを使用するための、コンピュータ化された方法およびデバイスが提供される。クライアント端末デバイスは、音楽を再生するために使用される同じイヤホン出力スピーカから信号を記録することを可能にするように構成され得る、本明細書においてコーダ／デコーダ（CODEC）とも称されるような、オーディオ処理集積回路を有し得る。本明細書において使用されるとき、CODECという用語は、クライアント端末のオーディオ信号の入力および出力を処理するために使用される回路または集積回路を含み得る、オーディオ処理集積回路を意味する。聴覚音響信号は、出力スピーカ環境に関連する測定値を算定するためにクライアント端末を使用して処理され得る。例えば、聴覚音響信号は、マイクロホンがCODECに全く接続されていない場合でさえ、電話での会話における使用のため、モバイルクライアント端末の所有者の音声信号を生成するために処理される。例えば、音響信号は、マイクロホンから収集された音声信号からノイズ低減された音声信号を生成するために使用される。例えば、聴覚音響信号は、外耳道の近くおよび／または内部に位置するイヤホン出力スピーカから心音を算定するために使用される。例えば、音響信号は、外耳道の近くおよび／または内部に位置するイヤホン出力スピーカから心拍数を算定するために使用される。例えば、聴覚音響信号は、外耳道の近くおよび／または内部に位置するイヤホン出力スピーカから体温を算定するために使用される。例えば、聴覚音響信号は、イヤホン出力スピーカから周囲温度を算定するために使用される。
【００４９】
任意で、再配線アダプタは、CODECがイヤホン出力スピーカから聴覚オーディオ信号を記録することを可能にするために使用される。
【００５０】
本発明の少なくとも1つの態様を詳細に説明する前に、本発明は、その適用において、以下の詳細な説明に述べられる、および／または図面および／または実施例に例示される構造の詳細および構成要素の配設および／または方法に必ずしも限定されないということが理解されるべきである。本発明は、他の態様が可能であるか、または様々な方法で実践されるかもしくは実施されることができる。
【００５１】
本発明は、システム、方法、および／またはコンピュータプログラム製品であり得る。コンピュータプログラム製品は、プロセッサに本発明の局面を実施させるためのコンピュータ可読プログラム命令を有するコンピュータ可読記憶媒体を含み得る。
【００５２】
コンピュータ可読記憶媒体は、命令実行デバイスによる使用のために命令を保持し、記憶することができる、有形デバイスであることができる。コンピュータ可読記憶媒体は、例えば、非限定的に、電子記憶デバイス、磁気記憶デバイス、光学式記憶デバイス、電磁気記憶デバイス、半導体記憶デバイス、または前述のものの任意の適切な組み合わせであり得る。コンピュータ可読記憶媒体のより具体的な例の非網羅的リストは、以下を含む:ポータブルコンピュータディスケット、ハードディスク、ランダムアクセスメモリ（RAM）、読み取り専用メモリ（ROM）、消去可能プログラム可能読み取り専用メモリ（EPROMまたはフラッシュメモリ）、スタティックランダムアクセスメモリ（SRAM）、ポータブルコンパクトディスク読み取り専用メモリ（CD-ROM）、デジタル多目的ディスク（DVD）、メモリスティック、フロッピーディスク、機械的にコード化されたデバイス、例えば穿孔カードまたは記憶された命令をその上に有する溝内の隆起構造、および前述のものの任意の適切な組み合わせ。本明細書において使用されるとおりのコンピュータ可読記憶媒体は、一時的な信号それ自体として、例えば電波または他の自由に伝搬する電磁波、導波管もしくは他の伝送媒体を通して伝搬する電磁波（例えば、光ファイバーケーブルを通過する光パルス）、または電線を通して伝送される電気信号として解釈されるべきではない。
【００５３】
本明細書に記載されているコンピュータ可読プログラム命令は、コンピュータ可読記憶媒体からそれぞれのコンピューティング／処理デバイスに、あるいはネットワーク、例えば、インターネット、ローカルエリアネットワーク、ワイドエリアネットワークおよび／または無線ネットワークを介して、外部コンピュータまたは外部記憶デバイスに、ダウンロードされることができる。ネットワークは、銅製伝送ケーブル、光伝送ファイバー、無線伝送、ルータ、ファイアーウォール、スイッチ、ゲートウェイコンピュータおよび／またはエッジサーバーを含み得る。各コンピューティング／処理デバイス中のネットワークアダプタカードまたはネットワークインタフェースは、ネットワークからコンピュータ可読プログラム命令を受け取り、それぞれのコンピューティング／処理デバイス内部のコンピュータ可読記憶媒体内での記憶のためのコンピュータ可読プログラム命令を転送する。
【００５４】
本発明の動作を実施するためのコンピュータ可読プログラム命令は、アセンブラ命令、命令セットアーキテクチャ（ISA）命令、機械命令、機械依存命令、マイクロコード、ファームウェア命令、状態設定データ、あるいは、オブジェクト指向プログラミング言語、例えばSmalltalk、C++など、および従来の手続きプログラミング言語、例えば「C」プログラミング言語または同様のプログラミング言語を含む1つまたは複数のプログラミング言語の任意の組み合わせで書かれたソースコードまたはオブジェクトコードのいずれかであり得る。コンピュータ可読プログラム命令は、全部がユーザのコンピュータ上で実行され得るか、一部がユーザのコンピュータ上で実行され得るか、独立型ソフトウェアパッケージとして実行され得るか、一部がユーザのコンピュータ上で一部がリモートコンピュータ上で実行され得るか、または全部がリモートコンピュータもしくはサーバ上で実行され得る。後者のシナリオにおいて、リモートコンピュータは、ローカルエリアネットワーク（LAN）またはワイドエリアネットワーク（WAN）を含む任意のタイプのネットワークを通してユーザのコンピュータに接続され得るか、あるいは接続は、外部コンピュータに対して実施され得る（例えば、インターネットサービスプロバイダを使用するインターネットを通して）。いくつかの態様において、例えば、プログラム可能論理回路部品、フィールド・プログラム可能・ゲート・アレイ（FPGA）、またはプログラム可能論理アレイ（PLA）を含む電子回路部品は、本発明の局面を実施するために、電子回路部品を個人化するためのコンピュータ可読プログラム命令の状態情報を利用することによって、コンピュータ可読プログラム命令を実行し得る。
【００５５】
本発明の局面は、本発明の態様による方法、装置（システム）およびコンピュータプログラム製品の流れ図および／またはブロック図を参照して本明細書に記載されている。流れ図および／またはブロック図の各ブロック、ならびに流れ図および／またはブロック図におけるブロックの組み合わせは、コンピュータ可読プログラム命令によって実現されることができることが理解されるであろう。
【００５６】
これらのコンピュータ可読プログラム命令は、汎用コンピュータ、専用コンピュータまたは他のプログラム可能なデータ処理装置のプロセッサに提供されて機械を産生して、コンピュータまたは他のプログラム可能なデータ処理装置のプロセッサを介して実行する命令が、流れ図および／またはブロック図のブロック中に指定された機能／動作を実現するための手段を作り出すようにしてもよい。これらのコンピュータ可読プログラム命令はまた、コンピュータ、プログラム可能なデータ処理装置、および／または他のデバイスに対し、特定のやり方で機能するよう指図することができるコンピュータ可読記憶媒体中に記憶されて、その中に記憶された命令を有するコンピュータ可読記憶媒体は、流れ図および／またはブロック図のブロック中に指定された機能／動作の局面を実現する命令を含む製造品を含むようにしてもよい。
【００５７】
コンピュータ可読プログラム命令はまた、コンピュータ、他のプログラム可能なデータ処理装置または他のデバイスにロードされて、一連の動作工程がコンピュータ、他のプログラム可能な装置または他のデバイス上で実施されて、コンピュータ実現プロセスを生じて、コンピュータ、他のプログラム可能な装置、または他のデバイス上で実行する命令が、流れ図および／またはブロック図のブロック中に指定された機能／動作を実現するようにしてもよい。
【００５８】
図面における流れ図およびブロック図は、本発明の様々な態様によるシステム、方法およびコンピュータプログラム製品の可能な態様のアーキテクチャ、機能性および動作を示す。これに関して、流れ図またはブロック図中の各ブロックは、指定された論理機能を実現するための1つまたは複数の実行可能な命令を含む、モジュール、セグメントまたは命令の一部を表し得る。いくつかの代替態様において、ブロック中に記された機能が、図に記された順序から外れて起こる場合がある。例えば、関与する機能性に依存して、連続して示される2つのブロックが、実際には実質的に並行して実行されてもよいし、またはときにはブロックが逆の順序で実行されてもよい。また、ブロック図および／または流れ図の各ブロック、ならびにブロック図および／または流れ図中のブロックの組み合わせは、指定された機能または動作を実施する専用ハードウェアベースのシステムによって実現されることができるか、または専用ハードウェアとコンピュータ命令との組み合わせを実施することもできることが留意されるであろう。
【００５９】
ここで、本発明のいくつかの態様による、イヤホン出力スピーカからの音声信号460（任意でノイズ低減された）を計算するためのシステム400およびデバイス401の模式図である、図1Aを参照する。いくつかの態様において、クライアント端末デバイス401は、ユーザインタフェース409、処理ユニット402、オーディオ回路410、音声および／またはデータインタフェース408、およびオーディオソケット409を含み得る。ユーザインタフェース409は、デバイスの動作を制御し、通話を始めるためのようなコマンドを発行して、方法の計算された結果を見るために使用され得る。1つまたは複数のオーディオソケット409は、イヤホン421の1つまたは複数のオーディオプラグ424をクライアント端末401に接続するために使用され得る。
【００６０】
処理ユニット402は、記憶ユニット403からプロセッサ命令を検索し、オーディオ回路410を制御し、データをインタフェースにまたはインタフェースから移すように構成され得る。記憶ユニット403は、オーディオ処理集積回路とも称されるオーディオ回路410をイヤホン出力スピーカから記録するように設定し（413）、したがってイヤホン出力スピーカからの聴覚オーディオ信号の記録を可能にするための、プロセッサ命令を含み得る。例えば、聴覚信号460は、イヤホン421の出力スピーカ422を使用して、ローカルの電話での会話の参加者430の耳432から記録される一方で、リモートの参加者の出力音声信号461が、同じ耳432へ伝送されている。記憶ユニット403はさらに、電話での会話におけるリモートの参加者440からの音声信号のような、イヤホン出力スピーカ上で再生されるべき出力オーディオ信号461を受け取る（414）ためのプロセッサ命令を含み得る。記録は、リモートの参加者の音声信号を再生するために使用される同じ出力スピーカから実施される。記憶ユニット403はさらに、出力イヤホンからの聴覚オーディオ信号460を記録する（415）ためのプロセッサ命令を含み得る。記憶ユニット403はさらに、聴覚オーディオ信号460からローカルの参加者430の音声信号を算定する（418）ためのプロセッサ命令を含み得、そのため音声信号は、電話での会話におけるリモートの参加者440に送るのに適している。任意で、記憶ユニット403はさらに、407にあるような、マイクロホンからの直接音声信号を記録する（415）ためのプロセッサ命令を含み得る。任意で、記憶ユニット403はさらに、聴覚音声信号、直接音声信号、およびフィルトレーション係数に基づいて、ノイズ低減された音声信号を計算する（418）ためのプロセッサ命令を含み得る。任意で、記憶ユニット403はさらに、ノイズ低減された音声信号を電話での会話のリモートの参加者440へ送るためのプロセッサ命令を含み得る。任意で、マイクロホンは、ヘッドセットのように、イヤホン423の一部である。記憶ユニット403はさらに、リモートのクライアント端末441へ音声信号（任意でノイズ低減された）を送る（416）ためのプロセッサ命令を含み得る。
【００６１】
デバイスは、セルラーネットワークおよび／またはイーサネットネットワークのようなネットワーク450を通して電話での会話をリモートのクライアント端末441に届けるための音声および／またはデータインタフェース408を含み得る。デバイスは、イヤホン421に接続され得、イヤホンは、1つまたは複数の出力スピーカ422および1つまたは複数の任意のマイクロホン423を含み得る。
【００６２】
ここで、本発明のいくつかの態様による、イヤホン出力スピーカから記録された聴覚信号から脈拍および／または温度測定値を計算するためのシステム460およびデバイス401の模式図である、図1Bを参照する。いくつかの態様において、クライアント端末デバイス401は、ユーザインタフェース409、処理ユニット402、記憶ユニット403、オーディオ回路410、およびオーディオソケット409を含み得る。ユーザインタフェース409は、デバイスの動作を制御し、脈拍および／または温度測定を要求するためなどのコマンドを発行して、計算された結果を見るために使用され得る。オーディオソケット409は、イヤホン421の1つまたは複数のオーディオプラグ424をクライアント端末401のオーディオ回路410に接続するために使用され得る。
【００６３】
記憶ユニット403は、オーディオ処理集積回路とも称されるオーディオ回路410に対し、イヤホン421の出力スピーカ422から聴覚信号を記録するよう命令する（413）ためのプロセッサ命令を含み得る。記憶ユニット403はさらに、聴覚信号記録を実施して生物測定値を計算すると同時に、再生されるべき音楽信号461のような、イヤホン421の出力スピーカ422上で再生されるべき出力オーディオ信号を受け取る（414）ためのプロセッサ命令を含み得る。記憶ユニット403はさらに、イヤホン421の出力スピーカ422からの聴覚信号460を記録する（415）ためのプロセッサ命令を含み得る。記憶ユニット403はさらに、脈拍数および温度測定値のような、聴覚オーディオ信号460に基づいて生物測定値を計算する（417）ためのプロセッサ命令を含み得る。記憶ユニット403はさらに、クライアント端末401のユーザインタフェース409に生物測定データを出力する（419）ためのプロセッサ命令を含み得る。任意で、データインタフェース408は、生物測定データの遠隔監視でのように、ネットワーク450上のリモートの記憶装置および／またはディスプレイに生物測定値を出力するために使用され得る。
【００６４】
任意で、クライアント端末401はまた、クライアント端末の内部温度および／またはクライアント端末周囲の周囲温度を測定するための、1つまたは複数の内部出力スピーカ406を含み得る。
【００６５】
電話での会話のためのシステム400および生物測定のためのシステム460の双方とも、共通するシステム構成要素の大部分を含み得る。例えば、クライアント端末401およびイヤホン421は、異なる使用事例に適用され、かつ異なる計算を使用する、同じハードウェアであり得る。例えば、クライアント端末401およびイヤホン421は双方とも、特殊なハードウェアの技術的特徴を有しない既成製品である。
【００６６】
本発明のいくつかの態様によれば、音声会話におけるノイズ低減のためにイヤホンを使用するため、および／または音声会話においてイヤホンをマイクロホンとして使用するための、コンピュータ化された方法が提供される。
【００６７】
ここで、本発明のいくつかの態様による、イヤホン出力スピーカから電話での会話の音声信号を生成するための方法である、図2を参照する。クライアント端末401のコンピュータ化された処理ユニット402は、オーディオ処理集積回路410に対し、イヤホン421の出力スピーカ422から記録するよう命令し得る（101）。リモートの音声信号は、電話での会話においてリモートの参加者440のリモートのクライアント端末441からローカルのクライアント端末401によって受け取られ（105）、イヤホン出力スピーカ461上で再生される（106）。イヤホン421上でのリモートの音声信号の出力と並行して、聴覚オーディオ信号は、ローカルのイヤホン421の出力スピーカ422から記録される（102）。フィルトレーション係数を受け取った（107）後、記録されたオーディオおよび別個に受け取られたリモートの音声信号は、処理ユニット402によってローカルの音声信号を計算する（103）ために使用され得る。このローカルの音声信号は次に、処理ユニット402によってリモートの参加者のクライアント端末に送られ（104）、したがって、ローカルのクライアント端末デバイスに接続されたマイクロホンを使用せずに音声信号を使用可能にする。
【００６８】
ローカルのクライアント端末401が、取り付けられたマイクロホンを有する場合、本方法は、処理ユニット402によって、ノイズ低減されたローカルの音声信号をリモートの端末に送る（104）ために使用され得る。コンピュータ化された処理ユニット402は、オーディオ処理回路410に対し、マイクロホン407からローカルの参加者の音声信号を記録するよう命令し（109）、次にマイクロホン407からローカルの参加者の音声信号を記録する（110）。記録された音声信号は、フィルトレーション係数107、リモートの音声信号105、およびローカルのイヤホン421の出力スピーカ422からの記録されたオーディオ信号460と共に使用されて、処理ユニット402によって、ノイズ低減されたローカルの音声信号を計算し（103）、その音声信号は、処理ユニット402によってリモートの参加者クライアント端末441に送られる（104）。
【００６９】
本発明のいくつかの態様によれば、オーディオ信号を再生するために使用される同じイヤホン出力スピーカを使用して、心音を記録するおよび／または脈拍数を測定するための、コンピュータ化された方法が提供される。
【００７０】
ここで、本発明のいくつかの態様による、イヤホン421の出力スピーカ422から脈拍数を測定するための方法の流れ図である、図3を参照する。処理ユニット402は、オーディオ回路410に対し、イヤホン出力スピーカ422からオーディオ信号を記録するよう命令し（201）、それに続いてイヤホン出力スピーカからオーディオ信号を記録する（202）。並行して、前に受け取られたオーディオ信号205が、461にあるように、イヤホン出力スピーカ422上に出力され得る（206）。フィルトレーションパラメータを受け取った（207）後、記録されたオーディオおよび受け取られたオーディオ出力信号は、心音信号および／または脈拍数を計算する（203）ために処理ユニット402によって使用される。心音信号および／または脈拍数は、処理ユニット402によってユーザインタフェース409に、および／またはデータインタフェース408およびインターネット450を通してリモートのデバイスに出力される（204）。
【００７１】
本発明のいくつかの態様によれば、1つまたは複数のイヤホン出力スピーカのような出力オーディオ変換器を使用して温度を測定するための、コンピュータ化された方法が提供される。
【００７２】
ここで、本発明のいくつかの態様による、イヤホン出力スピーカ422から温度を測定するための方法の流れ図である、図4を参照する。処理ユニット402は、オーディオ回路410に対し、イヤホン421の出力スピーカ422からオーディオ信号を記録するよう命令し（301）、それに続いて460にあるように、イヤホン出力スピーカからオーディオ信号を記録する（302）。並行して、例えば同時にまたは交互に、前に受け取られたオーディオ信号305が、処理ユニット402によってイヤホン出力スピーカ上に出力され得る（306）。フィルトレーションパラメータを受け取った（307）後、記録されたオーディオおよび受け取られたオーディオ出力信号は、内耳、ユーザの身体、およびイヤホン出力スピーカの周囲の温度データを計算する（303）ために、処理ユニット402によって使用される。次に、温度データは、処理ユニット402によってユーザインタフェース409に、および／またはデータインタフェース408およびインターネット450を通してリモートのデバイスに出力される（304）。
【００７３】
本発明のいくつかの態様によれば、クライアント端末がマイクロホンおよび／またはイヤホンの音響出力変換器から入力を受け取るための、コンピュータ化された方法が提供される。オーディオ処理回路が、同時または交互のいずれかで耳空間内部で音を記録するために、イヤホンを入力源として使用するように構成され得る場合、本方法が、使用され得る。クライアント端末に接続されたマイクロホンが存在しなくても、計算された信号は、音声信号であり得る。例えば、イヤホンの出力スピーカは、通話適用のために音声信号を記録するために、使用される。
【００７４】
イヤホンからの記録された信号は、低減されたノイズ音声信号を生成するために、任意でマイクロホンからの入力と共に、音声信号を計算するために使用され得る。
【００７５】
任意で、バックグラウンド信号は、イヤホンの1つまたは複数のスピーカから収集される。
【００７６】
任意で、音声会話は、接続されたマイクロホンなしでイヤホンのみを使用して、スマートフォンにおいて可能にされる。例えば、内部マイクロホンなし、および／またはイヤホンマイクロホンなしのクライアント端末としての音楽プレーヤは、マイクロホンとしてイヤホン出力スピーカを使用し、WiFi（商標）データ接続を使用して、電話での会話に参加する。この例において、音楽プレーヤは、聴覚信号を記録し、かつ電話での会話のリモートの参加者に送るための音声信号を算定するように、構成されている。
【００７７】
本発明の態様のいくつかの局面によれば、本方法は、オーディオ回路を、イヤホンからの入力路をクライアント端末のオーディオ処理回路へ接続するように設定する。本方法は、イヤホンの1つまたは両方の出力スピーカからの、交互または同時のいずれかの記録を可能にし得る。例えば、交互の記録は、スピーカへの出力信号が停止されている短い間隔の間に行われ得、そのため聞き手が、スピーカ音響出力において中断を聞くことはない。例えば、同時の記録は、イヤホン出力スピーカから再生されているオーディオ出力信号と並行して行われ得る。ノイズ低減適用のために、本方法は、任意のマイクロホンから入力を受け取ることを可能にし得る。
【００７８】
例えば、ここで、ノイズ低減信号を計算するための例示的な関数を参照する。簡潔のために、以下が定義される:
Eは、出力イヤホンスピーカから記録された入力信号ベクトルを示し;
Aは、イヤホンへ伝送される出力オーディオ信号ベクトルを示し、ここで、記録が交互に行われる場合は、A=0;
Mは、マイクロホンによって記録された入力信号ベクトルを示し;
Ce[N1]は、イヤホン出力係数、要素のN1数のベクトルを示し;
Ve[N2]は、ユーザおよびイヤホン毎に較正されたイヤホン変換定数、要素のN2数のベクトルを示し;
Cf[N3]は、フィルトレーション係数、要素のN3数のベクトルを示し;
Tは、マイクロホンノイズ低減係数ベクトルを示す。
【００７９】
マイクロホン入力が存在しない場合、音声信号は、Ve*Cf*(E-Ce*A)のような関数を使用して計算され得、ここで、*は、たたみ込み関数を示す。
【００８０】
任意で、入力は、2つ以上のイヤホンから収集され、Eは、平均入力信号を示す。例えば、E1は、左のイヤホンから収集され、E2は、右のイヤホンから収集され、Eは、E1およびE2の平均を示す。
【００８１】
任意で、N1、N2およびN3は、異なる値を有する。これらの異なる値は、異なるフィルタ係数ベクトルの異なる周波数応答関数に対応する。
【００８２】
例えば、オーディオ出力信号Aが送られてイヤホンによって再生される場合、イヤホンの音響オーディオ出力は、Ce*Aである。
【００８３】
例えば、Eが、イヤホン出力スピーカから耳の内側で記録されたオーディオ信号である場合、K=Ve*Eは、音声信号音である。
【００８４】
例えば、フィルトレーション係数は、周波数に関する重み関数を実現し、ここで、0の重みは、頭蓋が外側ノイズを十分にブロックしない低周波に適用され、音声スペクトルの外側にある周波数に適用される。ゼロでない重みは、頭蓋が外側のノイズをブロックする音声スペクトルの内側の周波数に適用される。
【００８５】
音声信号がマイクロホンによって収集される場合、ノイズ低減された音声信号は、関数  T*Cf*Mを使用して計算され得る。
【００８６】
係数Tは、例えば0.1秒の期間の間、再計算され得る。Tは、方程式:
T=argminT(||T*M-Ve*Cf*(E-Ce*A)||2)
から計算され得、ここで、argminは、括弧内の関数がその最小値に達する、この例においてはTである、所与の引数の値として定義される。
【００８７】
この関数は、音声信号のイヤホン記録とマイクロホン記録との間で相関する最良のノイズ低減フィルタを見いだし得る。同様に、2つの記録は、マイクロホン記録から低減され得るバックグランドノイズを見いだすためにも使用され得る。例えば、バックグラウンドのホワイトノイズは、マイクロホン記録から低減される。例えば、列車および／または他の自動車両のノイズのような反復バックグランドノイズは、マイクロホン記録から低減される。例えば、ノイズ低減された音声信号は、方程式  M-Ve*Cf*(E-Ce*A)を使用して計算され得る。
【００８８】
任意で、相互相関が、2つのオーディオ信号の間で算定されてバックグラウンド音を見いだし、バックグラウンド音は、音声信号を含むオーディオ信号から除去されて、音声信号がより聞き取れるという結果になる。
【００８９】
任意で、コスト関数（cost function）が最小にされて、数理最適化を使用してTを見いだす。例えば、コスト関数  ||T*M-Ve*Cf*(E-Ce*A)||2の最小値は、反復法、発見的方法を使用して、および／または対応する線形方程式を解くことによって、見いだされ得る。例えば、コスト関数の最小値は、単体法、最小二乗法、ニュートン・ラフソン法、シミュレーテッドアニーリング法、組合せアルゴリズムなどを使用して見いだされ得る。
【００９０】
本発明のいくつかの態様によれば、これらのオーディオ出力変換器がユーザの耳の内側にあるか、またはユーザの耳を覆ってしっかりと設置されている間、クライアント端末がこれらのオーディオ出力変換器を使用して心臓脈拍数を測定する、コンピュータ化された方法が提供される。例えば、出力変換器は、耳内の血液脈拍から音響信号を記録するために、マイクロホンの代わりに使用され得、その信号は、心臓脈拍数を計算するために使用される。
【００９１】
任意で、出力オーディオ変換器からの音響記録は、同じ出力オーディオ変換器からのオーディオ信号の再生と同時または交互（交代）のいずれかである。
【００９２】
任意で、音響記録は、片方の耳の変換器から、両耳から別々に、または両耳から一緒に、実施される。
【００９３】
任意で、3つの現象が、ユーザの脈拍数を推定するために使用され得る。
【００９４】
第一の現象は、静脈拍動が耳の内側で聞き取れ得るということである。この現象は、耳の内側でおよび／または耳に近接して記録されたオーディオが、信号P+N（ここで、Pは、静脈拍動信号であり、Nは、ノイズ信号である）によってモデル化され得ると仮定することによって、使用され得る。オーディオ出力信号を伝送しながら記録が実施される場合、Nは、伝送されたオーディオ、サウンドカードからのノイズ、およびホワイトノイズの合計であり得る。記録が交互で行われる場合、Nは、サウンドカードからのノイズおよびホワイトノイズの合計だけであり得る。
【００９５】
信号P1およびP2の下付き数字1および2は、2つの耳の各々における静脈拍動信号を示す。これら信号は、類似しており、心臓から各耳の動脈への異なる流路に起因する時間のずれを含む。
【００９６】
脈拍数を計算するために使用され得る第二の現象は、P1とP2との間の時間のずれは、脈拍数に反比例し得るということである。よって、P1とP2との間の時間のずれを見いだすことは、脈拍数を決定し得、何故ならそれは、十分に短い時間間隔で特定の個人に対してある特定の条件の下、時間のずれと線形関係を有し得るからである。この線形関係は、年齢、身長、体重、および性別のようなその個人のパラメータが仮定されない場合、より複雑であり得る。この線形関係は、脈拍値の範囲が測定期間の間に変わる場合、より複雑であり得る。任意で、時間のずれと脈拍数との間の関係の非線形局面が、各個人用に特別に較正される。
【００９７】
脈拍数を測定するために使用される第三の現象は、血圧における変化が外耳道の容積における変化を引き起こし得るということである。血圧は、外耳道の容積に反比例し得る。したがって、外耳道容積における変化を計算することは、血圧波を演繹するために使用され得る。外耳道の容積におけるいかなる変化も、外耳道の周波数応答を変化させ得る。外耳道周波数応答を計算することは、耳の内側にあるか、または耳を覆ってしっかりと設置されている変換器からのオーディオ信号を同時に再生し記録することによって、行われ得る。
【００９８】
例えば、ここで、オーディオ信号から脈拍数を計算するための例示的な関数を参照する。例えば、関数 アルゴリズム1およびアルゴリズム2は、第一の現象を使用するが、一方で関数 アルゴリズム3およびアルゴリズム4は、第二の現象を使用する。両耳の各々からの入力信号が記録される場合、関数 アルゴリズム1およびアルゴリズム3は、脈拍数を見いだすために使用され得る。片方の耳のみからの入力が記録される場合、関数 アルゴリズム1は、脈拍数を見いだすために使用され得る。両耳からの記録された入力の合計が既知である場合、関数 アルゴリズム2およびアルゴリズム4は、脈拍数を見いだすために使用され得る。任意で、多くの関数および／またはアルゴリズムが使用され、平均結果が出力される。例えば、関数 アルゴリズム5は、脈拍数を計算するために第三の現象を使用する。
【００９９】
オーディオ信号から脈拍数を計算するための関数は、窓化自己相関関数（windowed autocorrelation function）を使用して、出力変換器からの記録されたオーディオ信号における類似性のパターンを見いだし得る。これらの窓化自己相関関数は、オーディオ記録のセグメントの反復パターンを探すことによって、記録されたオーディオ信号中の反復心拍動音を見いだし得る。
【０１００】
簡潔のために、以下が追加で定義される:
Ce[]は、変換器係数ベクトルを示す
A[]は、変換器によって伝送された出力オーディオ信号ベクトルを示す
CVsc[][]は、サウンドカードノイズの共分散行列を示す
Wは、脈拍数測定のための窓間隔長さを示す
Drは、一心拍動周期の0.1に対応する多くのサンプルを示す
E[]は、出力変換器からの入力信号ベクトルを示す
Sdは、P1とP2との間のずれに対応する多くのサンプルを示し、ここで、dは、一心拍動当たりのサンプルの数である
R[][]は、CVsc=RR'となるようなr×r行列を示す
TC[][]は、
2017528011.tif 000003
に等しいt×t行列を示す
E1[]およびE2[]は、個々の変換器からの入力信号ベクトルを示す
E[]は、両方の変換器からの信号の合計を示し得る
frは、一秒当たりのサンプルにおけるオーディオ信号サンプル率を示す
hrは、一分当たりの拍動における心拍数を示す。hr=60×fr/(10×Dr)
【０１０１】
任意で、アルゴリズム1は、Niが伝送されたオーディオ、サウンドカードからのノイズ、およびホワイトノイズの合計である場合、E=Pi+Niによってモデル化されたオーディオ信号から脈拍数を見いだす。このモデルにおいて、Eは、耳のどちらかからのオーディオ信号であり得る。信号の全長のみが重要である。
【０１０２】
仮にF=E-Ce*Aとしよう。作用素z[x,y]は、指数xおよびyを含めたそれらの間のzのサブベクトルを示す。例えば、F1=E1-Ce*A1およびF2=E2-Ce*A2。この例における相関関数は以下である。
Yi,j=F[i・W,(i+1)・W]-F[i・W+j,(i+1)・W+j]
【０１０３】
この例において、hrは、コスト関数:
Σi=1...MΣj=9Dr, 9Dr+1,...,11DrΣk=1,...,W-tYi,j[k,k+t]TTC-1Yi,j[k,k+t]      アルゴリズム1
を使用して50〜150の間のhr値に関して計算される。
ここで、M=長さ(E)/Wであり、アウトプットは、コスト関数 アルゴリズム1の最大値に対応するhrの値であり、Drとhrとの間の関係を考慮に入れる。
【０１０４】
例えば、サンプリング率は、一秒当たり44,000サンプルの44KHzであり、信号は、10秒間、測定され、心拍数は、一秒当たり1拍動または一心拍動当たり44,000サンプル(d)である。したがって、合計サンプルは、10*44,000=440,000である。Drは、4,400であり、jは、9*4,400(39,600)から11*4,400(48,400)までの値を有し得る。Wが3脈拍（=3秒）に相当すると仮定すると、W=3*44,000=132,000であり、iは、1から3までの値を有し得る。
【０１０５】
任意で、アルゴリズム2は、E=P1+P2+Nによってモデル化されたオーディオ信号から脈拍数を見いだし、ここで、Nは、両耳からの伝送されたオーディオ、サウンドカードからのノイズ、およびホワイトノイズの合計を示す。
【０１０６】
この場合における相関関数は、以下である。
Yi,j=F[i・W,(i+1)・W]-F[i・W+j,(i+1)・W+j]
【０１０７】
この例において、hrは、コスト関数:
Σi=1...MΣj=9Dr,...,11Dr(Σk=1,...,W-tYi,j[k,k+t]TTC-1Yi,j[k,k+t])
(Σk=1,...,W-tYi,j[Sj+k,Sj+k+t]TTC-1Yi,j[Sj+k,Sj+k+t])      アルゴリズム2
を使用して50〜150の間のhr値に関して計算され、
アウトプットは、コスト関数 アルゴリズム2の最大値に対応するhrの値であり、Drとhrとの間の関係を考慮に入れる。
【０１０８】
任意で、アルゴリズム3は、E1=P1+N1およびE2=P2+N2によってモデル化されたオーディオ信号から脈拍数を見いだし、ここで、Niは、各耳についての伝送されたオーディオ、サウンドカードからのノイズ、およびホワイトノイズの合計を示す。
【０１０９】
この例における相関関数は以下である。
Zi,j=F1[i・W,(i+1)・W]-F2[i・W+j,(i+1)・W+j]
【０１１０】
この例において、hrは、コスト関数:
Σi=1...MΣj=9Dr,...,11DrΣk=1,...,W-tZi,Sj[k,k+t]TTC-1Zi,Sj[k,k+t]      アルゴリズム3
を使用して50〜150の間のhr値に関して計算され、
アウトプットは、コスト関数 アルゴリズム3の最大値に対応するhrの値であり、Drとhrとの間の関係を考慮に入れる。
【０１１１】
任意で、アルゴリズム4は、E=P1+P2+Nによってモデル化されたオーディオ信号から脈拍数を見いだし、ここで、Nは、伝送されたオーディオ、サウンドカードからのノイズ、およびホワイトノイズの合計を示す。
【０１１２】
この場合における相関関数は、以下である。
Yi,j=F[i・W,(i+1)・W]-F[i・W+j,(i+1)・W+j]
【０１１３】
この例において、hrは、コスト関数:
Σi=1...MΣj=9Dr,...,11Dr(Σk=1,...,W-tYi,j[Sj+k,Sj+k+t]TTC-1Yi,j[Sj+k,Sj+k+t])      アルゴリズム4
を使用して50〜150の間のhr値に関して計算され、
アウトプットは、コスト関数 アルゴリズム4の最大値に対応するhrの値であり、Drとhrとの間の関係を考慮に入れる。
【０１１４】
任意で、伝送されたオーディオは存在せず、A[]=0である。
【０１１５】
任意で、計算された心拍数に対する許容誤差が修正される。例えば、上記定義は、Drおよび例示関数を10%の許容誤差またはDrで定義する。代替の定義および関数は、計算された心拍数において、より高いまたはより低い許容誤差、例えば、一分当たりの心拍動において5%、一分当たりの心拍動において2%、一分当たりの心拍動において1%、一分当たりの心拍動において0.1%などの許容誤差で書かれ得る。
【０１１６】
任意で、Wで示される、心拍数を算定するための窓は、2つ以上の心拍動のサンプル数に対応する値を有する。任意で、心拍数を算定するための窓は、3〜12の間の心拍動のサンプル数に対応する値を有する。
【０１１７】
任意で、入力信号ベクトルは、特殊ハードウェア要件なしに標準的な既製のイヤホンを有する出力変換器から記録される。
【０１１８】
任意で、入力信号ベクトルは、対象の動きの間および／またはバックグランドノイズの存在下、出力変換器から記録される。
【０１１９】
任意で、入力信号ベクトルは、同じ出力変換器を通しての出力オーディオ信号の再生の間、出力変換器から記録される。
【０１２０】
任意で、アルゴリズム5は、血圧信号から脈拍数を見いだす。血圧信号は、耳の内側に設置された変換器を通して出力信号を再生し（A[]によって示される）、耳の内側に設置された同じおよび／または別の変換器を通して信号を記録し（E[]によって示される）、E[]およびA[]から血圧信号を推定するためにアルゴリズムを使用することによって、計算され得る。アルゴリズムは、E[]が外耳道によって反響されたA[]を含む現象を利用し得る。これらの反響は、血圧信号と相関関係にある、外耳道容積の周波数応答によって影響される。
【０１２１】
簡潔のために、以下が追加で定義される:
E[]は、変換器によって記録されたオーディオ信号を示す;
A[]は、クライアント端末によって再生されたオーディオ信号を示す;
Ct[]は、変換器の周波数応答の係数ベクトルを示す;
Ce(i)[]は、時間枠iにおける外耳道の周波数応答の係数ベクトルを示す;
T[]は、Ce(i)と外耳道信号の容積導関数の差の間の関数を示す；T[]は、先立って実行された較正プロセスのアウトプットである。
Diは、時間iでの血圧信号の導関数を示し、Di=-<T, Ce(i+1)-Ce(i)>であり;
BPは、血圧信号を示し、BP(i)=Σj=1...IDjである。
【０１２２】
血圧信号を計算するために、まず信号E[]およびA[]を、秒/(5*脈拍)〜秒/(50*脈拍)の間の長さの短い連続した間隔に分ける。i番目の間隔をA(i)およびE(i)により示す。Ce(i)を、
Ce(i)=argmin||E(i)-Ct*A(i)+Ce(i)*Ct*A(i)||2      アルゴリズム5
によって推定し、
Di=-<T, Ce(i+1)-Ce(i)>
（ここで、Diは、時間iでの血圧信号の導関数についての推定値であり得る）
を計算する。
BP(t)=Σj=1...tDj
【０１２３】
信号BPから脈拍数を見いだすことは、本明細書に記載されている先の方法を使用して行われ得る。関数T[]は、特定のイヤホンおよび／または外耳道についての出力信号と入力信号との間の変換関数の線形近似であり得る。任意で、T[]は、2以上の次数の近似関数であり、例えば、二次関数が使用される。
【０１２４】
アルゴリズムの説明
再生されたオーディオがA[]であり、変換器によって記録されたオーディオがE[]である場合:
E=Ct*A+Ce*Ct*A
であり、ここで、Ct[]は、変換器によって再生されたオーディオがCt*Aであるような係数のショートベクトルであり得る。Ctは、定数であり、イヤホンが外耳道の内側にないときに音を記録し、再生することによって較正されることができる。
【０１２５】
Ce[]は、外耳道の周波数応答ベクトルである。オーディオ信号Xが、耳の内側で再生されている場合、信号Ce*Xは、変換器によって記録されている。Ce[]は、外耳道によって反響されるXの結果である。
【０１２６】
本アルゴリズムは、周波数応答ベクトルを推定するために、連続した短い時間枠を使用し得、ここで、Ce(i)は、i番目の枠に対応するベクトルであり得る。外耳道の容積導関数は、連続した時間枠の間の差の関数であり得る。ほぼ線形であるこの関数は、時間Iでの外耳道の容積導関数、例えば<T,Δi>（ここで、Δi=Ce(i+1)-Ce(i))を推定し得る。したがって、時間iでの血圧信号の導関数は、<T,Δi>であり得る。各時間枠での導関数は、血圧信号、具体的には脈拍数を推定し得る。
【０１２７】
本発明のいくつかの態様によれば、クライアント端末がイヤホンスピーカのようなオーディオ出力変換器を使用して温度を測定するための、コンピュータ化された方法が提供される。オーディオ変換器を使用して温度を測定するために、オーディオ変換器は、オーディオ処理集積回路の入力ミキサおよび出力ミキサに同時に接続され得る。マイクロホンとして働く場合、出力変換器によって再生された出力オーディオ信号および出力変換器から記録された入力オーディオ信号は、温度を算定するために使用され得る。例えば、ユーザによって装着されているイヤホンが、イヤホンへ、およびイヤホンからの同時出力および入力路を可能にするサウンドカードを使用して、クライアント端末に接続される場合、ユーザの体温が測定される。この例において、体温の計算は、クライアント端末を使用して実施される。イヤホンのオーディオ出力変換器は、出力オーディオ信号を出力し、オーディオ信号を記録するために同時に使用され得る。出力変換器によって再生されるオーディオ出力信号は、任意のオーディオ出力信号であり得る。例えば、出力オーディオ信号は、音楽信号、音声信号などである。
【０１２８】
測定される温度は、大きく変動し得る、変換器の周囲環境の温度であり得る。例えば、測定される温度は、膜の周囲の平均温度、および出力変換器の後面の周囲の平均温度である。これらの2つの温度は、例えば、膜周囲の温度がユーザの内耳の温度であり、一方で後方腔の周囲温度がユーザの外耳の周囲温度である、イヤホンの場合において、非常に異なる場合がある。
【０１２９】
オーディオ変換器は、オーディオ信号を記録する（E[]で示される）のと同時に、オーディオ出力信号を伝送し（A[]で示される）得る。例えば、Eは、出力変換器をマイクロホンとして使用するオーディオ信号記録であり、記録された信号Eは、オーディオ出力信号、Aの記録を含む。ベクトルAおよびEは、対応する出力変換器の前面および後面の温度を計算するために使用され得る。任意で、オーディオ出力変換器の温度は、クライアント端末によってすぐに計算され得るか、または記憶され、任意で転送され、後に任意で遠隔地で計算され得る。
【０１３０】
A[]とE[]の間の周波数応答は、温度を計算するために使用され得る。出力変換器の前面および後面温度を計算することを可能にする物理的原理は、温度の関数として前述の周波数応答変化であり得る。これらの周波数応答変化は、変換器の前面および後面の温度変化に関して異なり、それによって2つの温度の間の区別を可能とする場合がある。
【０１３１】
例えば、ここで、A[]とE[]との間の周波数応答を使用して温度を計算するための例示的な関数を参照する。周波数応答Ctf0,tb0は、出力変換器の後面および前面それぞれの基準温度tb0およびtf0で測定されるものである。周波数応答Ctf0+Δ,tb0およびCtf0,tb0+Δは、変換器の前面のtf0とは異なるΔ、または変換器の後面のtb0とは異なるΔである温度で測定され、したがって、Ctf0,tb0とCtf0+Δ,tb0との間の線形変換TΔ,0およびCtf0,tb0とCtf0,tb0+Δとの間の線形変換T0,Δが決定される。TΔ,0およびT0,Δは、スピーカの前面または後面それぞれのΔの変化に対応する線形変換であり得、かつ我々は、それらはTΔ,0およびT0,ΔをCtf0,tb0に繰り返し適用することによってtf0およびtb0に十分に近い温度に対してほぼ一定であると想定しているので、我々は、新しい温度tb0+kb・Δおよびtf0+kfΔで周波数応答を推定し得る。このプロセスを逆にすることによって、測定される周波数応答は、この周波数応答を生成するであろう後面および前面温度を計算するために使用され得る。
【０１３２】
例えば、周波数応答は、出力変換器の前面および後面の両方についてセ氏25℃で測定され、5kHzで-2.0dB減衰を用いて平坦であることが見いだされる。出力変換器の後面についてセ氏25.5℃で測定される周波数応答は、5kHzで-2.5dB減衰を用いて平坦であり得る。出力変換器の前面についてセ氏25.5℃で測定された周波数応答は、5kHzで-2.2dB減衰を用いて、および3kHzで+0.5dB減衰を用いて平坦であり得る。出力変換器の未知の温度tb0+kb・Δおよびtf0+kfΔで測定された周波数応答は、5kHzで-6.4dB減衰を用いて、および3kHzで+6.0dB減衰を用いて平坦であり得る。回数、kbおよびkfを見いだすことによって、2つの線形変換が適用される必要があり、前面および後面についての温度は、それぞれセ氏37℃およびセ氏27℃として計算され得る。
【０１３３】
簡潔のために、以下が追加で定義される:
C0[N]は、基準温度tf0,tb0での変換器係数ベクトルを示し、ここで、tb0は、変換器の後面における温度であり、tf0は、変換器の前面での温度である。
【０１３４】
TΔ,0[N][N],T0,Δ[N][N]は、TΔ,0k1(T0,Δk2(C0))が後面および前面それぞれでの温度tb0+k1・Δおよびtf0+k2・Δでの変換器係数であるような、変換器係数ベクトルの線形変換を示し、ここで、Δは、線形変換を測定するために使用される温度ステップであり、k1およびk2は、温度ステップの数である。前面および後面温度の両方についての線形変換は、C0にk1およびk2の回数、繰り返し適用されて、実測値信号Eに達する。
【０１３５】
||x||は、xのl2ノルムを示し、
x*yは、xおよびyのたたみ込みを示す。
【０１３６】
tf、tbは、出力変換器の前面および後面それぞれでの温度を示し、
Hf、Hbは、出力変換器の前面および後面それぞれの熱伝導係数を示す。
【０１３７】
本方法は、関数:
k1,k2=argmin||TΔ,0k1(T0,Δk2(C0))*A-E||2
を使用して、温度tf、tbがtb0+k1・Δおよびtf0+k2・Δであると推定し得る。
【０１３８】
任意で、tfおよびtbは、0に等しいDの導関数の線形方程式を使用してD=argmin||D*A-E||2を解くことによって見いだされ得、その後、我々はk1,k2=argmin||TΔ,0k1(T0,Δk2(C0))-D||2であるような、k1,k2を見いだす。
【０１３９】
任意で、温度の計算は、TΔ1[N][N]およびTΔ2[N][N]（ここで、Δ2>>Δ1）に対して2つの異なる温度ステップ分解能を使用して実施される。この場合において、Dは、前述のように計算され、k1, k2は、k1,k2=argmin||TΔ1k1(TΔ2k2(C0))-D||2であるように計算され得る。異なる分解能ステップは、係数ベクトルに対する前面および後面温度の影響の間のより良い区別を可能にする。
【０１４０】
任意で、アルゴリズムは、数セットの基底係数を使用し得る。すなわち、温度tb0,...,tbsおよびtf0,...,tfsでの変換器係数であるC0[N],...,Cs[N]。この場合において、Dは、前述のように計算され得るが、tf/tbは、線形方程式を解くことによって計算され得る、
tf,tb=argminΣi=0,...,s||TΔ,0(tb-tbi)/Δ(T0,Δ(tf-tfi)/Δ(Ci))*A-E||2
を使用して計算され得る。任意で、任意の数の基底温度が、使用され得る。
【０１４１】
任意で、温度は、2つ以上の対の線形変換を用いて計算される。例えば、Δ1'>>Δ1およびΔ2'>>Δ2であるような、TΔ1,0[N][N],TΔ1',0[N][N]およびT0,Δ2[N][N],T0,Δ2'[N][N]。この場合において、Dは、前述のように計算され得るが、k1,k1',k2,k2'は:
k1,k1',k2,k2'=argmin||TΔ1',0k1'・TΔ1,0k1(T0,Δ2'k2'・T0,Δ2k2(C0))*A-E||2
を使用して計算され得る。
【０１４２】
任意で、異なる基底温度および異なる温度分解能ステップは、一緒に使用されて、標的温度を決定する。
【０１４３】
任意で、tbおよび／またはtfは、2回以上計算されて、その値から未来の定常状態温度値を外挿する。例えば、AおよびEは、絶えず収集され、窓にセグメント化され、tfおよび／またはtb値は、各窓について計算される。例えば、このプロセスは、x回反復されてもよく、その場合、最終tfおよび／またはtbが、x個の中間結果からの外挿とみなされる。
【０１４４】
本明細書に記載されているように温度測定についての問題点は、測定された温度が変換器の後面および前面の温度であり、内耳または環境の温度ではないということであり得る。変換器温度がその周囲温度に達するのに長い時間かかり得る。この理由から、変換器の温度変化の速さは、その周囲の温度を推定するために使用され得る。任意で、熱伝導係数HbおよびHfが使用されて、前面および後面温度がtf、tbであり、1秒後はtf'、tb'であるならば、周囲温度は、δb=Hb・(tb'-tb)およびδf=Hf・(tf'-tf)である。
【０１４５】
任意で、最終の定常状態温度が、指数関数および熱伝導係数を使用して外挿される。
【０１４６】
ここで、本発明のいくつかの態様による、イヤホン出力スピーカから信号を記録し、信号および／または測定データを算定して、データを出力するためのユーザインタフェースの模式図である、図5を参照する。ユーザインタフェースは、コマンドメニューのための領域501を含み得る。ユーザインタフェースは、体温、周囲温度、脈拍数、心信号、電話情報、通話情報、ノイズ低減指標などの測定値を含む、測定値表示のための領域502を含み得る。ユーザインタフェースは、ユーザにより定義されるボタンのための領域504を含み得る。ユーザインタフェースは、クライアント端末のディスプレイ503上に提示され得る。例えば、ディスプレイ503は、スマートフォン、パーソナルコンピュータ、ラップトップコンピューター、音楽プレーヤ、タブレットなどのスクリーンである。
【０１４７】
上記のとおりの方法は、集積回路チップの製作において使用され得る。
【０１４８】
図面における流れ図およびブロック図は、本発明の様々な態様によるシステム、方法およびコンピュータプログラム製品の可能な態様のアーキテクチャ、機能性および動作を示す。これに関して、流れ図またはブロック図中の各ブロックは、指定された論理機能を実現するための1つまたは複数の実行可能な命令を含む、モジュール、セグメントまたはコード部分を表し得る。また、いくつかの代替態様において、ブロック中に記された機能が図に記された順序から外れて起こり得ることも留意されるべきである。例えば、関与する機能性に依存して、連続して示される2つのブロックが実際には実質的に並行して実行されてもよいし、またはときにはブロックが逆の順序で実行されてもよい。また、ブロック図および／または流れ図の各ブロックならびにブロック図および／または流れ図中のブロックの組み合わせは、指定された機能または動作を実施する専用ハードウェアベースのシステム、または専用ハードウェアとコンピュータ命令との組み合わせによって実現されることもできることが留意されるであろう。
【０１４９】
本発明の様々な態様の説明は、例示のために提示されたものであり、網羅的であること、または開示された態様に限定されることを意図しない。記載された態様の範囲および精神から逸脱することなく多くの修正および変形が当業者には明らかであろう。本明細書において使用される専門用語は、態様の原理、実用化または市場に見られる技術に対する技術的改善をもっとも良く説明するか、または他の当業者が本明細書に開示された態様を理解することを可能にするために選択されたものである。
【０１５０】
本出願から特許が切れるまでの寿命の間に多くの関連するイヤホンが開発されることが予想され、イヤホンという用語の範囲は、そのような新たな技術をすべて先験的に包含することを意図する。
【０１５１】
本明細書において使用されるとき、「約」という用語は±10％を指す。
【０１５２】
「含む」、「含み」、「包含する」、「包含し」、「有し」という用語およびそれらの同根語は、「非限定的に含む」ことを意味する。この語は「からなる」および「から本質的になる」という用語を包含する。
【０１５３】
「から本質的になる」という句は、組成物または方法がさらなる成分および／または工程を含み得るが、そのさらなる成分および／または工程が請求項に係る組成物または方法の基本的かつ新規な特徴を実質的に変化させない場合に限ることを意味する。
【０１５４】
本明細書において使用されるとき、単数形「1つの」または「その」は、文脈がそうでないことを明らかに指図しない限り、複数の指示対象を含む。例えば、「ある化合物」または「少なくとも1つの化合物」は、複数の化合物を、それらの混合物を含め、含み得る。
【０１５５】
「例示的」という語は、本明細書において、「例、例証または例示として働く」ことを意味するために使用される。「例示的」と記載される任意の態様は、必ずしも、他の態様よりも好ましい、または有利であるとは解釈されないし、および／または他の態様の特徴の包含を排除するとも解釈されない。
【０１５６】
「任意で」という語は、本明細書において、「いくつかの態様においては提供されるが、他の態様においては提供されない」ことを意味するために使用される。本発明のいかなる特定の態様も、互いに矛盾しない限り、複数の「任意の」特徴を含み得る。
【０１５７】
本出願を通して、本発明の様々な態様は、範囲形式で提示され得る。範囲形式の記載は単に便宜および簡潔さのためであり、本発明の範囲に対する融通のない限定と解釈されるべきではないことが理解されるべきである。したがって、範囲の記載は、すべての可能な部分的範囲およびその範囲内の個々の数値を具体的に開示したものと考慮されるべきである。例えば、1〜6のような範囲の記載は、部分的範囲、たとえば1〜3、1〜4、1〜5、2〜4、2〜6、3〜6など、およびその範囲内の個々の数値、たとえば1、2、3、4、5および6を具体的に開示したものと考慮されるべきである。これは、範囲の幅にかかわらず当てはまる。
【０１５８】
本明細書において数値範囲が示される場合、それは、示された範囲内の任意の言及された数値（分数または整数）を含むことを意味する。第一の示された数値と第二の示された数値との「間の範囲」という句、および第一の示された数値「から」第二の示された数値「までの範囲」という句は、本明細書において互換可能に使用され、第一および第二の示された数値ならびにそれらの間のすべての分数および整数を含むことを意味する。
【０１５９】
理解しやすくするために別々の態様に関して記載される本発明の特定の特徴は、1つの態様として組み合わされた状態で提供されてもよいことが理解されよう。逆に、簡潔のために1つの態様に関して記載される本発明の様々な特徴は、別々に提供されてもよいし、または任意の適当な部分的組み合わせとして提供されてもよいし、または適宜、本発明の任意の他の記載される態様として提供されてもよい。様々な態様に関して記載される特定の特徴は、これらの要素なしでは動作不能でない限り、これらの態様の不可欠な特徴と考慮されてはならない。
【０１６０】
本発明は、その具体的な態様に関連して記載されたが、多くの代替、修正および変形が当業者に自明であることは明らかである。したがって、特許請求の範囲の精神および広い範囲に入るような全ての代替、修正および変形を包含することが意図される。
【０１６１】
本明細書において挙げられる全ての刊行物、特許および特許出願は、各個々の刊行物、特許または特許出願が参照により本明細書に組み入れられることが具体的かつ個別に示される場合と同じ程度に、参照により全体として本明細書に組み入れられる。加えて、本出願における任意の参考文献の引用または特定は、そのような参考文献が本発明に対する先行技術として利用可能であることを認めるものと解釈されてはならない。節見出しが使用される程度に、それらは、必ずしも限定的であると解釈されるべきではない。
【図１Ａ】
2017528011.tif 000005
【図１Ｂ】
2017528011.tif 000006
【図２】
2017528011.tif 000007
【図３】
2017528011.tif 000008
【図４】
2017528011.tif 000009
【図５】
2017528011.tif 000010
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
リモートのクライアント端末から記録されたリモートの参加者の音声である受け取られた音声信号を、少なくとも1つのイヤホンの少なくとも1つの電気音響出力変換器に再生する工程;
ローカルのクライアント端末のオーディオ処理集積回路に対し、前記ローカルのクライアント端末を使用しているローカルの参加者の音声を含む音声信号を同じ前記少なくとも1つの電気音響出力変換器から記録するよう命令する工程;
前記ローカルのクライアント端末の処理ユニットを使用して、前記記録された音声信号、前記受け取られた音声信号、およびフィルトレーション係数を組み合わせる関数に基づいて、伝送音声信号を計算する工程;ならびに
前記ローカルのクライアント端末の出力インタフェースを通して前記伝送音声信号を送り、それによって、通話コミュニケーションのために遠隔地での前記リモートのクライアント端末上での前記伝送音声信号の音響音声の再生を可能にする工程
を含む、複数の参加者の間での通話のためのマイクロホンとしてイヤホン出力スピーカを使用する方法。
【請求項２】
少なくとも1つの電気音響出力変換器が、イヤホンに接続された外部スピーカである、請求項1記載の方法。
【請求項３】
少なくとも1つの電気音響出力変換器が、クライアント端末の内部スピーカである、請求項1記載の方法。
【請求項４】
音声信号の記録および受け取られた音声信号の再生が、同じ電気音響変換器から同時に実施される、請求項1記載の方法。
【請求項５】
音声信号の記録および受け取られた音声信号の再生が、同じ電気音響変換器から交互に実施され、ここで、第一の期間の間、再生が実施され、第二の期間の間、記録が、聞き取れないほど短い時間で実施される、請求項1記載の方法。
【請求項６】
請求項1記載の方法を実施するよう適合されたコンピュータ実行可能な命令を含むコンピュータ可読媒体。
【請求項７】
リモートのクライアント端末から記録されたリモートの参加者の音声である受け取られた音声信号を、少なくとも1つのイヤホンの少なくとも1つの電気音響出力変換器に再生する工程;
ローカルのクライアント端末に内蔵の内部マイクロホンに対し、前記ローカルのクライアント端末を使用しているローカルの参加者の音声を含む音声信号を記録するよう命令する工程;
前記ローカルのクライアント端末のオーディオ処理集積回路に対し、同じ前記少なくとも1つの電気音響出力変換器を使用して聴覚（aural）オーディオ信号を記録するよう命令する工程;
前記ローカルのクライアント端末の処理ユニットを使用して、前記記録された音声信号、前記聴覚オーディオ信号、前記受け取られた音声信号およびフィルトレーション係数を組み合わせる関数に基づいて、ノイズ低減された音声信号を計算する工程;ならびに
出力インタフェースを通して前記ノイズ低減された音声信号を送り、それによって、通話コミュニケーションのために遠隔地での前記リモートのクライアント端末上での前記ノイズ低減された音声信号の音響再生を可能にする工程
を含む、ノイズ低減された音声信号を複数の参加者の間での通話のリモートの参加者へ送る方法。
【請求項８】
聴覚オーディオ信号の記録および受け取られた音声信号の再生が、同じ電気音響出力変換器から同時に実施される、請求項7記載の方法。
【請求項９】
聴覚オーディオ信号の記録および受け取られた音声信号の再生が、同じ電気音響出力変換器から交互に実施され、ここで、第一の期間の間、再生が実施され、第二の期間の間、記録が、聞き取れないほど短い時間で実施される、請求項7記載の方法。
【請求項１０】
電気音響変換器が、聴覚オーディオ信号の記録の間、外耳道の内側に位置する、請求項7記載の方法。
【請求項１１】
請求項7記載の方法を実施するよう適合されたコンピュータ実行可能な命令を含むコンピュータ可読媒体。
【請求項１２】
出力オーディオ信号を少なくとも1つのイヤホンの少なくとも1つの電気音響出力変換器に再生する工程;
クライアント端末のオーディオ処理集積回路に対し、同じ前記少なくとも1つの電気音響出力変換器を使用して聴覚オーディオ信号を記録するよう命令する工程であって、前記聴覚オーディオ信号の記録および前記出力オーディオ信号の再生が、同じ前記少なくとも1つの電気音響出力変換器から同時に実施される、工程;
前記聴覚オーディオ信号、前記出力オーディオ信号、およびフィルトレーション係数を組み合わせる関数に基づいて、脈拍数測定値を計算する工程;ならびに
前記脈拍数測定値を提示する工程
を含む、脈拍数測定値を提示する方法。
【請求項１３】
少なくとも1つの電気音響出力変換器が、聴覚オーディオ信号の記録の間、外耳道の内側に位置する、請求項12記載の方法。
【請求項１４】
脈拍数測定値が、前記聴覚オーディオ信号と少なくとも1つの第二の電気音響出力変換器から記録された第二の聴覚オーディオ信号との間の時間のずれの測定に基づいて計算される、請求項12記載の方法。
【請求項１５】
脈拍数測定値が、外耳道の周波数応答における変化に基づいて計算される、請求項12記載の方法。
【請求項１６】
脈拍数測定値が、ユーザインタフェースを通してユーザに提示される、請求項12記載の方法。
【請求項１７】
脈拍数測定値が、出力インタフェースを通してリモートのデバイスに提示される、請求項12記載の方法。
【請求項１８】
請求項12記載の方法を実施するよう適合されたコンピュータ実行可能な命令を含むコンピュータ可読媒体。
【請求項１９】
出力オーディオ信号を少なくとも1つの電気音響変換器に再生する工程;
クライアント端末のオーディオ処理集積回路に対し、同じ前記少なくとも1つの電気音響変換器を使用してオーディオ信号を記録するよう命令する工程;
前記オーディオ信号、前記出力オーディオ信号およびフィルトレーション係数を組み合わせる関数に基づいて、複数の温度測定値を計算する工程;ならびに
前記複数の温度測定値の少なくとも1つを提示する工程
を含む、温度測定値を提示する方法。
【請求項２０】
少なくとも1つの電気音響変換器が、マイクロホンである、請求項19記載の方法。
【請求項２１】
少なくとも1つの電気音響変換器が、イヤホンの出力スピーカである、請求項19記載の方法。
【請求項２２】
少なくとも1つの電気音響変換器が、イヤホンに接続された外部スピーカであり、複数の温度測定値が、周囲および内耳温度測定値を含む、請求項19記載の方法。
【請求項２３】
少なくとも1つの電気音響変換器が、クライアント端末の内部スピーカであり、複数の温度測定値が、周囲およびデバイス温度測定値を含む、請求項19記載の方法。
【請求項２４】
電気音響変換器が、オーディオ信号の記録の間、標的ユーザの外耳道の内側に位置し、複数の温度測定値の1つが、前記標的ユーザの体温と相互関係がある内耳測定値である、請求項19記載の方法。
【請求項２５】
複数の温度測定値の少なくとも1つが、ユーザインタフェースを通してユーザに提示される、請求項19記載の方法。
【請求項２６】
複数の温度測定値の少なくとも1つが、出力インタフェースを通してリモートのデバイスに提示される、請求項19記載の方法。
【請求項２７】
請求項19記載の方法を実施するよう適合されたコンピュータ実行可能な命令を含むコンピュータ可読媒体。
【請求項２８】
コンピュータ可読記憶媒体;
受け取られた音声信号を少なくとも1つのイヤホンの少なくとも1つの電気音響出力変換器に再生するための第一のプログラム命令;
ローカルのクライアント端末のオーディオ処理集積回路に対し、同じ前記少なくとも1つの電気音響出力変換器を使用して音声信号を記録するよう命令するための第二のプログラム命令;
前記記録された音声信号、前記受け取られた音声信号およびフィルトレーション係数を組み合わせる関数に基づいて伝送音声信号を計算するための第三のプログラム命令;および
前記ローカルのクライアント端末の出力インタフェースを通して前記伝送音声信号を送るための第四のプログラム命令;
を含み、
前記第一、第二、第三、および第四のプログラム命令が、前記コンピュータ可読記憶媒体上に記憶されている、
伝送音声信号を送るためのコンピュータプログラム製品。
【請求項２９】
コンピュータ可読記憶媒体;
受け取られた音声信号を少なくとも1つのイヤホンの少なくとも1つの電気音響出力変換器に再生するための第一のプログラム命令;
クライアント端末に内蔵の内部マイクロホンに対し、音声信号を記録するよう命令するための第二のプログラム命令;
前記クライアント端末のオーディオ処理集積回路に対し、同じ前記少なくとも1つの電気音響出力変換器を使用して聴覚オーディオ信号を記録するよう命令するための第三のプログラム命令;
前記記録された音声信号、前記聴覚オーディオ信号、前記受け取られた音声信号およびフィルトレーション係数を組み合わせる関数に基づいて、ノイズ低減された音声信号を計算するための第四のプログラム命令;ならびに
前記クライアント端末の出力インタフェースを通して前記ノイズ低減された音声信号を送るための第五のプログラム命令
を含み、
前記第一、第二、第三、第四、および第五のプログラム命令が、前記コンピュータ可読記憶媒体上に記憶されている、
ノイズ低減された音声信号を送るためのコンピュータプログラム製品。
【請求項３０】
コンピュータ可読記憶媒体;
出力オーディオ信号を少なくとも1つのイヤホンの少なくとも1つの電気音響出力変換器に再生するための第一のプログラム命令;
クライアント端末のオーディオ処理集積回路に対し、同じ前記少なくとも1つの電気音響出力変換器を使用して聴覚オーディオ信号を記録するよう命令するための第二のプログラム命令；
前記記録された聴覚オーディオ信号、前記出力オーディオ信号およびフィルトレーション係数を組み合わせる関数に基づいて、脈拍数測定値を計算するための第三のプログラム命令;および
前記脈拍数測定値を提示するための第四のプログラム命令
を含み、
前記第一、第二、第三、および第四のプログラム命令が、前記コンピュータ可読記憶媒体上に記憶されている、
脈拍数測定値を提示するためのコンピュータプログラム製品。
【請求項３１】
コンピュータ可読記憶媒体;
出力オーディオ信号を少なくとも1つのイヤホンの少なくとも1つの電気音響変換器に再生するための第一のプログラム命令;
クライアント端末のオーディオ処理集積回路に対し、同じ前記少なくとも1つの電気音響変換器を使用して聴覚オーディオ信号を記録するよう命令するための第二のプログラム命令;
前記記録された聴覚オーディオ信号、前記出力オーディオ信号およびフィルトレーション係数を組み合わせる関数に基づいて、温度測定値を計算するための第三のプログラム命令;および
前記温度測定値を提示するための第四のプログラム命令
を含み、
前記第一、第二、第三、および第四のプログラム命令が、前記コンピュータ可読記憶媒体上に記憶されている、
温度測定値を提示するためのコンピュータプログラム製品。
【請求項３２】
電話での会話においてローカルの参加者のローカルの音声信号を送り、リモートの参加者のリモートの音声信号を受け取るためのインタフェースと、
イヤホンをデバイスに接続するためのオーディオソケットと、
受け取られた音声信号を少なくとも1つのイヤホンの少なくとも1つの電気音響変換器に再生する行為;
オーディオ回路に対し、前記イヤホンの同じ前記少なくとも1つの電気音響変換器から聴覚信号を記録するよう命令する行為;
前記聴覚信号から前記ローカルの音声信号を算定する行為;および
前記電話での会話において前記ローカルの音声信号を前記リモートの参加者の再生デバイスに送る行為
を実施するためのプロセッサ命令の集合を含む少なくとも1つの記憶ユニットと、
前記少なくとも1つの記憶ユニットから前記プロセッサ命令の集合を検索し、該プロセッサ命令の集合を実行するように構成された少なくとも1つの処理ユニットと
を含む、電話での会話においてリモートの参加者に音声信号を送るためのデバイス。
【請求項３３】
第二の音声信号を記録するマイクロホンをさらに含み、音声信号が、聴覚信号および前記第二の音声信号を使用して算定されたノイズ低減された音声信号である、請求項32記載のデバイス。
【請求項３４】
イヤホンをデバイスに接続するためのオーディオソケットと、
出力オーディオ信号を少なくとも1つのイヤホンの少なくとも1つの電気音響変換器に再生する行為;
オーディオ回路に対し、前記イヤホンの同じ前記少なくとも1つの電気音響変換器から聴覚信号を記録するよう命令する行為であって、前記聴覚オーディオ信号の記録および前記出力オーディオ信号の再生が、同じ前記少なくとも1つの電気音響出力変換器から同時に実施される、行為;
前記聴覚信号から少なくとも1つの生物測定値を算定する行為;ならびに
前記少なくとも1つの生物測定値を提示する行為
を実施するためのプロセッサ命令の集合を含む少なくとも1つの記憶ユニットと、
前記少なくとも1つの記憶ユニットから前記プロセッサ命令の集合を検索し、該プロセッサ命令の集合を実行するように構成された少なくとも1つの処理ユニットと
を含む、生物測定値を提示するためのデバイス。
【請求項３５】
データインタフェースをさらに含む請求項34記載のデバイスであって、少なくとも1つの生物測定値が、前記データインタフェースを使用してリモートのデバイス上に提示される、デバイス。
【手続補正２】
【補正対象書類名】明細書
【補正対象項目名】００４０
【補正方法】変更
【補正の内容】
【００４０】
例えば、本発明の態様による選択されたタスクを実施するためのハードウェアは、チップまたは回路として実現されることもできる。ソフトウェアとして、本発明の態様による選択されたタスクは、任意の適切なオペレーティングシステムを使用してコンピュータによって実行される複数のソフトウェア命令として実現されることもできる。本発明の例示的な態様において、本明細書に記載されているとおりの方法および／またはシステムの例示的な態様による1つまたは複数のタスクは、複数の命令を実行するためのコンピューティングプラットフォームのようなデータプロセッサによって実施される。任意で、データプロセッサは、命令および／またはデータを記憶するための揮発性メモリ、ならびに／あるいは命令および／またはデータを記憶するための不揮発性記憶装置、例えば、磁気ハードディスクおよび／またはリムーバブルメディアを含む。任意で、ネットワーク接続もまた提供される。ディスプレイおよび／またはキーボードもしくはマウスのようなユーザ入力デバイスもまた任意で提供される。
[本発明1001]
リモートのクライアント端末から記録されたリモートの参加者の音声である受け取られた音声信号を、少なくとも1つのイヤホンの少なくとも1つの電気音響出力変換器に再生する工程;
ローカルのクライアント端末のオーディオ処理集積回路に対し、前記ローカルのクライアント端末を使用しているローカルの参加者の音声である音声信号を同じ前記少なくとも1つの電気音響出力変換器から記録するよう命令する工程;
前記ローカルのクライアント端末の処理ユニットを使用して、前記記録された音声信号、前記受け取られた音声信号、およびフィルトレーション係数を組み合わせる関数に基づいて、伝送音声信号を計算する工程;ならびに
前記ローカルのクライアント端末の出力インタフェースを通して前記伝送音声信号を送り、それによって、通話コミュニケーションのために遠隔地での前記リモートのクライアント端末上での前記伝送音声信号の音響音声の再生を可能にする工程
を含む、複数の参加者の間での通話のためのマイクロホンとしてイヤホン出力スピーカを使用する方法。
[本発明1002]
少なくとも1つの電気音響出力変換器が、イヤホンに接続された外部スピーカである、本発明1001の方法。
[本発明1003]
少なくとも1つの電気音響出力変換器が、クライアント端末の内部スピーカである、本発明1001の方法。
[本発明1004]
音声信号の記録および受け取られた音声信号の再生が、同じ電気音響変換器から同時に実施される、本発明1001の方法。
[本発明1005]
音声信号の記録および受け取られた音声信号の再生が、同じ電気音響変換器から交互に実施され、ここで、第一の期間の間、再生が実施され、第二の期間の間、記録が、聞き取れないほど短い時間で実施される、本発明1001の方法。
[本発明1006]
本発明1001の方法を実施するよう適合されたコンピュータ実行可能な命令を含むコンピュータ可読媒体。
[本発明1007]
リモートのクライアント端末から記録されたリモートの参加者の音声である受け取られた音声信号を、少なくとも1つのイヤホンの少なくとも1つの電気音響出力変換器に再生する工程;
ローカルのクライアント端末に内蔵の内部マイクロホンに対し、前記ローカルのクライアント端末を使用しているローカルの参加者の音声である音声信号を記録するよう命令する工程;
前記ローカルのクライアント端末のオーディオ処理集積回路に対し、同じ前記少なくとも1つの電気音響出力変換器を使用して聴覚（aural）オーディオ信号を記録するよう命令する工程;
前記ローカルのクライアント端末の処理ユニットを使用して、前記音声信号、前記聴覚オーディオ信号、前記受け取られた音声信号およびフィルトレーション係数を組み合わせる関数に基づいて、ノイズ低減された音声信号を計算する工程;ならびに
出力インタフェースを通して前記ノイズ低減された音声信号を送り、それによって、通話コミュニケーションのために遠隔地での前記リモートのクライアント端末上での前記ノイズ低減された音声信号の音響再生を可能にする工程
を含む、ノイズ低減された音声信号を複数の参加者の間での通話のリモートの参加者へ送る方法。
[本発明1008]
聴覚オーディオ信号の記録および受け取られた音声信号の再生が、同じ電気音響出力変換器から同時に実施される、本発明1007の方法。
[本発明1009]
聴覚オーディオ信号の記録および受け取られた音声信号の再生が、同じ電気音響出力変換器から交互に実施され、ここで、第一の期間の間、再生が実施され、第二の期間の間、記録が、聞き取れないほど短い時間で実施される、本発明1007の方法。
[本発明1010]
電気音響変換器が、聴覚オーディオ信号の記録の間、外耳道の内側に位置する、本発明1007の方法。
[本発明1011]
本発明1007の方法を実施するよう適合されたコンピュータ実行可能な命令を含むコンピュータ可読媒体。
[本発明1012]
出力オーディオ信号を少なくとも1つのイヤホンの少なくとも1つの電気音響出力変換器に再生する工程;
クライアント端末のオーディオ処理集積回路に対し、同じ前記少なくとも1つの電気音響出力変換器を使用して聴覚オーディオ信号を記録するよう命令する工程;
前記聴覚オーディオ信号、前記出力オーディオ信号、およびフィルトレーション係数を組み合わせる関数に基づいて、脈拍数測定値を計算する工程;ならびに
前記脈拍数測定値を提示する工程
を含む、脈拍数測定値を提示する方法。
[本発明1013]
聴覚オーディオ信号の記録および出力オーディオ信号の再生が、同じ前記少なくとも1つの電気音響出力変換器から同時に実施される、本発明1012の方法。
[本発明1014]
聴覚オーディオ信号の記録および出力オーディオ信号の再生が、同じ前記少なくとも1つの電気音響出力変換器から交互に実施され、ここで、第一の期間の間、再生が実施され、第二の期間の間、記録が、聞き取れないほど短く実施される、本発明1012の方法。
[本発明1015]
少なくとも1つの電気音響出力変換器が、聴覚オーディオ信号の記録の間、外耳道の内側に位置する、本発明1012の方法。
[本発明1016]
脈拍数測定値が、前記聴覚オーディオ信号と少なくとも1つの第二の電気音響出力変換器から記録された第二の聴覚オーディオ信号との間の時間のずれの測定に基づいて計算される、本発明1012の方法。
[本発明1017]
脈拍数測定値が、外耳道の周波数応答における変化に基づいて計算される、本発明1012の方法。
[本発明1018]
脈拍数測定値が、ユーザインタフェースを通してユーザに提示される、本発明1012の方法。
[本発明1019]
脈拍数測定値が、出力インタフェースを通してリモートのデバイスに提示される、本発明1012の方法。
[本発明1020]
本発明1012の方法を実施するよう適合されたコンピュータ実行可能な命令を含むコンピュータ可読媒体。
[本発明1021]
出力オーディオ信号を少なくとも1つの電気音響変換器に再生する工程;
クライアント端末のオーディオ処理集積回路に対し、同じ前記少なくとも1つの電気音響変換器を使用してオーディオ信号を記録するよう命令する工程;
前記オーディオ信号、出力オーディオ信号およびフィルトレーション係数を組み合わせる関数に基づいて、複数の温度測定値を計算する工程;ならびに
前記複数の温度測定値の少なくとも1つを提示する工程
を含む、温度測定値を提示する方法。
[本発明1022]
少なくとも1つの電気音響変換器が、マイクロホンである、本発明1021の方法。
[本発明1023]
少なくとも1つの電気音響変換器が、イヤホンの出力スピーカである、本発明1021の方法。
[本発明1024]
少なくとも1つの電気音響変換器が、イヤホンに接続された外部スピーカであり、複数の温度測定値が、周囲および内耳温度測定値を含む、本発明1021の方法。
[本発明1025]
少なくとも1つの電気音響変換器が、クライアント端末の内部スピーカであり、複数の温度測定値が、周囲およびデバイス温度測定値を含む、本発明1021の方法。
[本発明1026]
電気音響変換器が、オーディオ信号の記録の間、標的ユーザの外耳道の内側に位置し、複数の温度測定値の1つが、前記標的ユーザの体温と相互関係がある内耳測定値である、本発明1021の方法。
[本発明1027]
複数の温度測定値の少なくとも1つが、ユーザインタフェースを通してユーザに提示される、本発明1021の方法。
[本発明1028]
複数の温度測定値の少なくとも1つが、出力インタフェースを通してリモートのデバイスに提示される、本発明1021の方法。
[本発明1029]
本発明1021の方法を実施するよう適合されたコンピュータ実行可能な命令を含むコンピュータ可読媒体。
[本発明1030]
コンピュータ可読記憶媒体;
受け取られた音声信号を少なくとも1つのイヤホンの少なくとも1つの電気音響出力変換器に再生するための第一のプログラム命令;
ローカルのクライアント端末のオーディオ処理集積回路に対し、同じ前記少なくとも1つの電気音響出力変換器を使用して音声信号を記録するよう命令する第二のプログラム命令;
前記記録された音声信号を組み合わせる関数に基づいて伝送音声信号を計算するための第三のプログラム命令;および
前記ローカルのクライアント端末の出力インタフェースを通して前記伝送音声信号を送るための第四のプログラム命令;
を含み、
前記第一、第二、第三、および第四のプログラム命令が、前記コンピュータ可読記憶媒体上に記憶されている、
伝送音声信号を送るためのコンピュータプログラム製品。
[本発明1031]
コンピュータ可読記憶媒体;
受け取られた音声信号を少なくとも1つのイヤホンの少なくとも1つの電気音響出力変換器に再生するための第一のプログラム命令;
クライアント端末に内蔵の内部マイクロホンに対し、音声信号を記録するよう命令する第二のプログラム命令;
前記クライアント端末のオーディオ処理集積回路に対し、同じ前記少なくとも1つの電気音響出力変換器を使用して聴覚オーディオ信号を記録するよう命令するための第三のプログラム命令;
前記音声信号、前記聴覚オーディオ信号およびフィルトレーション係数を組み合わせる関数に基づいて、ノイズ低減された音声信号を計算するための第四のプログラム命令;ならびに
前記クライアント端末の出力インタフェースを通して前記ノイズ低減された音声信号を送るための第五のプログラム命令
を含み、
前記第一、第二、第三、第四、および第五のプログラム命令が、前記コンピュータ可読記憶媒体上に記憶されている、
ノイズ低減された音声信号を送るためのコンピュータプログラム製品。
[本発明1032]
コンピュータ可読記憶媒体;
出力オーディオ信号を少なくとも1つのイヤホンの少なくとも1つの電気音響出力変換器に再生するための第一のプログラム命令;
クライアント端末のオーディオ処理集積回路に対し、同じ前記少なくとも1つの電気音響出力変換器を使用して聴覚オーディオ信号を記録するよう命令する第二のプログラム命令；
前記記録された聴覚オーディオ信号を組み合わせる関数に基づいて、脈拍数測定値を計算するための第三のプログラム命令;および
前記脈拍数測定値を提示するための第四のプログラム命令
を含み、
前記第一、第二、第三、および第四のプログラム命令が、前記コンピュータ可読記憶媒体上に記憶されている、
脈拍数測定値を提示するためのコンピュータプログラム製品。
[本発明1033]
コンピュータ可読記憶媒体;
出力オーディオ信号を少なくとも1つのイヤホンの少なくとも1つの電気音響変換器に再生するための第一のプログラム命令;
クライアント端末のオーディオ処理集積回路に対し、同じ前記少なくとも1つの電気音響変換器を使用して聴覚オーディオ信号を記録するよう命令する第二のプログラム命令;
前記記録された聴覚オーディオ信号を組み合わせる関数に基づいて、温度測定値を計算するための第三のプログラム命令;および
前記温度測定値を提示するための第四のプログラム命令
を含み、
前記第一、第二、第三、および第四のプログラム命令が、前記コンピュータ可読記憶媒体上に記憶されている、
温度測定値を提示するためのコンピュータプログラム製品。
[本発明1034]
電話での会話においてローカルの参加者のローカルの音声信号を送り、リモートの参加者のリモートの音声信号を受け取るためのインタフェースと、
イヤホンをデバイスに接続するためのオーディオソケットと、
受け取られた音声信号を少なくとも1つのイヤホンの少なくとも1つの電気音響変換器に再生する行為;
オーディオ回路に対し、前記イヤホンの同じ前記少なくとも1つの電気音響変換器から聴覚信号を記録するよう命令する行為;
前記聴覚信号から前記ローカルの音声信号を算定する行為;
前記電話での会話において前記ローカルの音声信号を前記リモートの参加者の再生デバイスに送る行為
を実施するためのプロセッサ命令の集合を含む少なくとも1つの記憶ユニットと、
前記少なくとも1つの記憶ユニットから前記プロセッサ命令の集合を検索し、該プロセッサ命令の集合を実行するように構成された少なくとも1つの処理ユニットと
を含む、電話での会話においてリモートの参加者に音声信号を送るためのデバイス。
[本発明1035]
第二の音声信号を記録するマイクロホンをさらに含み、音声信号が、聴覚信号および前記第二の音声信号を使用して算定されたノイズ低減された音声信号である、本発明1034のデバイス。
[本発明1036]
イヤホンをデバイスに接続するためのオーディオソケットと、
出力オーディオ信号を少なくとも1つのイヤホンの少なくとも1つの電気音響変換器に再生する行為;
オーディオ回路に対し、前記イヤホンの同じ前記少なくとも1つの電気音響変換器から聴覚信号を記録するよう命令する行為;
前記聴覚信号から少なくとも1つの生物測定値を算定する行為;
前記少なくとも1つの生物測定値を提示する行為
を実施するためのプロセッサ命令の集合を含む少なくとも1つの記憶ユニットと、
前記少なくとも1つの記憶ユニットから前記プロセッサ命令の集合を検索し、該プロセッサ命令の集合を実行するように構成された少なくとも1つの処理ユニットと
を含む、生物測定値を提示するためのデバイス。
[本発明1037]
データインタフェースをさらに含む本発明1036のデバイスであって、少なくとも1つの生物測定値が、前記データインタフェースを使用してリモートのデバイス上に提示される、デバイス。
【国際調査報告】
2017528011.tif 000011
2017528011.tif 000012